(57)【特許請求の範囲】
【請求項１】
モバイルデバイスの高度を判断するための方法であって、前記モバイルデバイスにおいて、
前記モバイルデバイスに供給された環境センサーを介して取得された第１の測定値と前記モバイルデバイスのロケーションとを示す環境報告を生成することと、
遠隔デバイスに前記環境報告を送信することと、
異なる時点で、前記遠隔デバイスから基準データ報告を受信することであって、前記基準データ報告が前記環境報告に少なくとも一部基づき、前記環境報告が、特定の環境に対応するユーザ供給観測に少なくとも一部基づく、受信することと、
前記環境センサーを使用して、第２の測定値を取得することと、
前記基準データ報告と前記第２の測定値とに少なくとも一部基づいて、前記モバイルデバイスの前記高度および前記モバイルデバイスに関する較正パラメータを判断することとを備え、
前記環境センサーが気圧計を備え、
前記第１の測定値および／または前記第２の測定値のうちの少なくとも１つが局所大気圧に少なくとも一部基づく、
方法。
【請求項２】
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、請求項１に記載の方法。
【請求項３】
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、請求項１に記載の方法。
【請求項４】
前記モバイルデバイスの前記ロケーションが、高度成分および相対高度成分のうちの少なくとも１つを備える、請求項１に記載の方法。
【請求項５】
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、請求項４に記載の方法。
【請求項６】
前記モバイルデバイスに関する前記較正パラメータを判断することが、
前記モバイルデバイスに関する測定された高度にさらに少なくとも一部基づいて、前記モバイルデバイスに関する前記較正パラメータを判断すること
をさらに備える、請求項１に記載の方法。
【請求項７】
前記測定された高度が、アシスト型全地球航法衛星システム（Ａ−ＧＮＳＳ）、および／または地形図もしくは等高線図のうちの少なくとも１つを使用して少なくとも一部判断される、請求項６に記載の方法。
【請求項８】
モバイルデバイスの高度を判断するための装置であって、
前記モバイルデバイスに供給された環境センサーを介して取得された第１の測定値と前記モバイルデバイスのロケーションとを示す環境報告を生成するための手段と、
遠隔デバイスに前記環境報告を送信するための手段と、
異なる時点で、前記遠隔デバイスから基準データ報告を受信するための手段であって、前記基準データ報告が前記環境報告に少なくとも一部基づき、前記環境報告が、特定の環境に対応するユーザ供給観測に少なくとも一部基づく、受信するための手段と、
前記環境センサーを使用して、第２の測定値を取得するための手段と、
前記基準データ報告と前記第２の測定値とに少なくとも一部基づいて、前記モバイルデバイスの前記高度および前記モバイルデバイスに関する較正パラメータを判断するための手段と
を備え、
前記環境センサーが気圧計を備える、
装置。
【請求項９】
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、請求項８に記載の装置。
【請求項１０】
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、請求項８に記載の装置。
【請求項１１】
前記モバイルデバイスの前記ロケーションが、高度成分および相対高度成分のうちの少なくとも１つを備え、および、オプションで、
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、
請求項１０に記載の装置。
【請求項１２】
前記モバイルデバイスに関する前記較正パラメータを判断するための前記手段が、
前記モバイルデバイスに関する測定された高度にさらに少なくとも一部基づいて、前記モバイルデバイスに関する前記較正パラメータを判断するための手段
をさらに備え、および、オプションで、
前記測定された高度が、アシスト型全地球航法衛星システム（Ａ−ＧＮＳＳ）、および／または地形図もしくは等高線図のうちの少なくとも１つを使用して少なくとも一部判断される、
請求項１０に記載の装置。
【請求項１３】
請求項１乃至７のうちのいずれか１項の方法を実行するためにモバイルデバイスの処理ユニットによって実行可能なコンピュータ実装可能命令を記憶した非一時的コンピュータ可読媒体。
【発明の詳細な説明】
【技術分野】
【０００１】
関連出願
本願は、参照によりその全体が本明細書に組み込まれている、２０１２年１１月１２日に出願した、「ＭＥＴＨＯＤ  ＡＮＤ／ＯＲ  ＳＹＳＴＥＭ  ＦＯＲ  ＡＳＳＩＳＴＥＤ  ＡＬＴＩＴＵＤＥ  ＤＥＴＥＲＭＩＮＡＴＩＯＮ」に関する米国仮出願第６１／７２５，４２３号、および２０１３年３月１２日に出願した、「ＴＥＣＨＮＩＱＵＥＳ  ＦＯＲ  ＧＥＮＥＲＡＴＩＮＧ  ＥＮＶＩＲＯＮＭＥＷＮＴ  ＡＮＤ  ＲＥＦＥＲＥＮＣＥ  ＤＡＴＡ  ＲＥＰＯＲＴＳ  ＦＯＲ  ＰＡＲＴＩＣＵＬＡＲ  ＥＮＶＩＲＯＮＭＥＮＴＳ  ＯＮ  ＢＥＨＬＦ  ＯＦ  ＭＯＢＩＬＥ  ＤＥＶＩＣＥＳ」に関する米国特許出願第１３／７９７，８３７号に対する優先権を主張するＰＣＴ出願である。
【０００２】
[0001]本明細書で開示される主題は、固定およびモバイル電子デバイスに関し、より詳細には、基準データ報告を生成するための１つもしくは複数の固定電子デバイスおよび／または特定の環境に対応する環境報告を生成するための１つもしくは複数のモバイル電子デバイスによって使用するための方法、装置、ならびに製造物品に関する。
【背景技術】
【０００３】
[0002]モバイルデバイスによるそれの現在の海抜高度または何らかの他の知られている基準を超えるか、もしくはそれに満たない高度（絶対高度）の正確かつ信頼性が高い判断は、時として、ある種のサービスおよびアプリケーションにとって有用であり得るか、または必要ですらあり得る。たとえば、その情報は、今しがた緊急呼び出しをかけたユーザがその階を知らないか、あるいは（たとえば、言語、もしくは言語障害、または不良な呼接続により）この情報を緊急サービス応答者に伝えることができないかのいずれかであるとき、そのユーザが高層ビルのどの階にいるかを判断するために使用され得る。いくつかの例を挙げれば、アシスト型全地球航法衛星システム（Ａ−ＧＮＳＳ：Assisted-Global Satellite Navigation System）、観測到着時間差（ＯＴＤＯＡ：Observed Time Difference of Arrival）、アドバンストフォワードリンク三辺測量（ＡＦＬＴ：Advanced Forward Link Trilateration）、拡張セルＩＤ（Ｅ−ＣＩＤ：Enhanced Cell ID）などの既存の標準測位方法を使用するモバイルワイヤレスデバイスに関する正確な絶対高度の判断は、これらの測位技術の固有の限界と、関連無線信号の受信および正確な測定に対する障害とにより、常に可能であるとは限らない可能性がある。たとえば、空の衛星の位置（position）と、近くの建造物、木々および丘などからのスカイカバー（sky cover）の量とに応じて、アシスト型ＧＮＳＳに関する高度分解能（altitude resolution）は、屋外環境で数百フィートの範囲内だけで可能であり得、建造物の内部ではまったく不可能であり得る。地形図または（任意の知られている水平ロケーションに関して知られている地表レベルを提供し得る）等高線図（contour map）と組み合わされたＯＴＤＯＡ、ＡＦＬＴ、Ｅ−ＣＩＤなど、他の方法は、建造物内の知られていない高さにより、信頼できない場合がある。
【０００４】
[0003]モバイルデバイス内の気圧センサーは、これらの欠点を克服するために使用され得る。モバイルデバイス内の気圧センサーは、モバイルデバイスのロケーション（location）における大気圧を測定する。これらの圧力測定は、次いで、（ｉ）海水位（もしくは、何らかの他の明確に定義された基準レベル）での現在の大気圧の知識を前提とした、モバイルデバイスの絶対高度、または（ｉｉ）モバイルデバイスの、局所地表レベルを超える相対高度（もしくは、局所地表レベルに満たない深度）のいずれかを計算するために、（アシスト型ＧＮＳＳなど、他の測位技術と組み合わせて、もしくは単独でのいずれかで）モバイルデバイスによって使用され得る。温度計、光センサー、または湿度計など、モバイルデバイス内の他のセンサーは、局所環境に関する他のデータを取得して、モバイルデバイスが屋外にあるか、または屋内にあるかを判断するため、あるいはその判断を支援するために使用され得、それはモバイルデバイスの絶対高度もしくは相対高度の計算をさらに支援し得る。
【発明の概要】
【０００５】
[0004]いくつかの態様によれば、モバイルデバイスにおいて実装され得る、モバイルデバイスの高度を判断するための方法が提供される。方法は、モバイルデバイスに供給された環境センサーを介して取得された第１の測定値とモバイルデバイスのロケーションとを示す環境報告（an environment report）を生成することと、遠隔デバイスに環境報告を送信することと、異なる時点で、遠隔デバイスから基準データ報告（a reference data report）を受信することと、環境センサーを使用して、第２の測定値を取得することと、基準データ報告と第２の測定値とに少なくとも一部基づいて、モバイルデバイスに関する高度および／またはモバイルデバイスに関する較正パラメータ（a calibration parameter）のうちの少なくとも１つを判断することとを備え得る。
【０００６】
[0005]いくつかの態様によれば、モバイルデバイスの高度を判断するための装置は、モバイルデバイスに供給された環境センサーを介して取得された第１の測定値とモバイルデバイスのロケーションとを示す環境報告を生成するための手段と、遠隔デバイスに環境報告を送信するための手段と、異なる時点で、遠隔デバイスから基準データ報告を受信するための手段と、環境センサーを使用して、第２の測定値を取得するための手段と、基準データ報告と第２の測定値とに少なくとも一部基づいて、モバイルデバイスに関する高度および／またはモバイルデバイスに関する較正パラメータのうちの少なくとも１つを判断するための手段とを備え得る。
【０００７】
[0006]いくつかの態様によれば、モバイルデバイスは、環境センサーと、ネットワークインターフェースユニットと、環境センサーを介して取得された第１の測定値とモバイルデバイスのロケーションとを示す環境報告を生成して、ネットワークインターフェースユニットを介して遠隔デバイスに対する環境報告の送信を開始し、異なる時点で、ネットワークインターフェースユニットを介して遠隔デバイスから基準データ報告を受信し、環境センサーを介して第２の測定値を取得し、基準データ報告と第２の測定値とに少なくとも一部基づいて、モバイルデバイスに関する高度および／またはモバイルデバイスに関する較正パラメータのうちの少なくとも１つを判断するための処理ユニットとを備え得る。
【０００８】
[0007]いくつかの態様によれば、モバイルデバイスに供給された環境センサーを介して取得された第１の測定値とモバイルデバイスのロケーションとを示す環境報告を生成し、遠隔デバイスに対する環境報告の送信を開始し、異なる時点で、遠隔デバイスから基準データ報告を受信し、環境センサーを使用して、第２の測定値を取得し、基準データ報告と第２の測定値とに少なくとも一部基づいて、モバイルデバイスに関する高度および／またはモバイルデバイスに関する較正パラメータのうちの１つを判断するために、モバイルデバイスの処理ユニットによって実行可能なコンピュータ実装可能命令を記憶した非一時的コンピュータ可読媒体を備える製造物品が提供され得る。
【０００９】
[0008]いくつかの態様によれば、電子デバイスにおいて実装するための方法が提供され得る。方法は、モバイルデバイスから環境報告を受信することと、環境報告は、モバイルデバイスに供給された環境センサーを介して取得された測定値とモバイルデバイスのロケーションとを示し、環境報告に少なくとも一部基づいて、基準データ報告を生成することと、基準データ報告は、モバイルデバイスのロケーションに対応する特定の環境の基準高度（a reference altitude）に対応する基準大気圧（a reference atmospheric pressure）を示し、モバイルデバイスに基準データ報告を送信することとを備え得る。
【００１０】
[0009]いくつかの態様によれば、装置は、モバイルデバイスから環境報告を受信するための手段と、環境報告は、モバイルデバイスに供給された環境センサーを介して取得された測定値とモバイルデバイスのロケーションとを示し、環境報告に少なくとも一部基づいて、基準データ報告を生成するための手段と、基準データ報告は、モバイルデバイスのロケーションに対応する特定の環境の基準高度に対応する基準大気圧を示し、モバイルデバイスに基準データ報告を送信するための手段とを備え得る。
【００１１】
[0010]いくつかの態様によれば、デバイスは、ネットワークインターフェースユニットと、ネットワークインターフェースユニットを介してモバイルデバイスから環境報告を受信することと、環境報告は、モバイルデバイスに供給された環境センサーを介して取得された測定値とモバイルデバイスのロケーションとを示し、環境報告に少なくとも一部基づいて、基準データ報告を生成することと、基準データ報告は、モバイルデバイスのロケーションに対応する特定の環境の基準高度に対応する基準大気圧を示し、ネットワークインターフェースユニットを介したモバイルデバイスに対する基準データ報告の送信を開始することとを行うための処理ユニットとを備え得る。
【００１２】
[0011]いくつかの態様によれば、製造物品は、モバイルデバイスから環境報告を受信することと、環境報告は、モバイルデバイスに供給された環境センサーを介して取得された測定値とモバイルデバイスのロケーションとを示し、環境報告に少なくとも一部基づいて、基準データ報告を生成することと、基準データ報告は、モバイルデバイスのロケーションに対応する特定の環境の基準高度に対応する基準大気圧を示し、モバイルデバイスに対する基準データ報告の送信を開始することとを行うための、電子デバイスの処理ユニットによって実行可能なコンピュータ実装可能命令を記憶した非一時的コンピュータ可読媒体を備え得る。
【００１３】
[0012]別段の規定がない限り、様々な図の全体を通して、同様の参照番号は同様の部分を指す以下の図を参照しながら非限定的で非網羅的な態様について説明する。
【図面の簡単な説明】
【００１４】
【図１】[0013]例示的な実装形態による、基準データ報告を生成するための電子デバイスを含む固定およびモバイル電子デバイスと、特定の環境に対応する環境報告を生成するためのモバイルデバイスとを表す構成（an arrangement）を示す概略ブロック図。
【図２】[0014]例示的な実装形態による、電子デバイスによって生成された基準データ報告を取得して、特定の環境に対応する環境報告を生成するために、モバイルデバイス内で実装され得るある例示的なプロセスを示すフロー図。
【図３】例示的な実装形態による、電子デバイスによって生成された基準データ報告を取得して、特定の環境に対応する環境報告を生成するために、モバイルデバイス内で実装され得るある例示的なプロセスを示すフロー図。
【図４】例示的な実装形態による、電子デバイスによって生成された基準データ報告を取得して、特定の環境に対応する環境報告を生成するために、モバイルデバイス内で実装され得るある例示的なプロセスを示すフロー図。
【図５】[0015]例示的な実装形態による、基準データ報告を生成して、１つまたは複数のモバイルデバイスから特定の環境に対応する環境報告を取得するために、電子デバイス内で実装され得るある例示的なプロセスを示すフロー図。
【図６】例示的な実装形態による、基準データ報告を生成して、１つまたは複数のモバイルデバイスから特定の環境に対応する環境報告を取得するために、電子デバイス内で実装され得るある例示的なプロセスを示すフロー図。
【図７】例示的な実装形態による、電子デバイスによって生成された基準データ報告を取得して、特定の環境に対応する環境報告を生成するために、モバイルデバイス内で実装され得るある例示的なプロセスを示すフロー図。
【図８】例示的な実装形態による、基準データ報告を生成して、１つまたは複数のモバイルデバイスから特定の環境に対応する環境報告を取得するために、電子デバイス内で実装され得るある例示的なプロセスを示すフロー図。
【図９】[0016]例示的な実装形態による、基準データ報告を生成して、１つまたは複数のモバイルデバイスから特定の環境に対応する環境報告を取得するための例示的な電子デバイスのいくつかの特徴を示す概略図。
【図１０】[0017]例示的な実装形態による、電子デバイスによって生成された基準データ報告を取得して、特定の環境に対応する環境報告を生成するための例示的なモバイルデバイスのいくつかの特徴を示す概略図。
【発明を実施するための形態】
【００１５】
[0018]以下の説明は、基準データ報告の受信および使用、ならびにモバイルデバイスによる環境報告の生成に言及するが、固定電子デバイスおよびノマディック電子デバイス（nomadic electronic devices）（たとえば、ＷｉＦｉ（登録商標）アクセスポイント、基地局、パーソナルコンピュータ）は、これらの報告を、モバイルデバイスに関して本明細書で説明されるのと類似のまたは同じ方法で、同じくらい容易に受信および生成することができることを諒解されたい。
【００１６】
[0019]電子デバイス、遠隔電子デバイス、遠隔デバイス、およびサーバという用語は、本明細書で交換可能に使用され、概して、固定デバイスまたはコンピューティングプラットフォームおよび／もしくは通信プラットフォームなどのエンティティを指す。モバイルデバイスおよびモバイルワイヤレスデバイスという用語は、本明細書で交換可能に使用され、概して、ワイヤレス通信に関与することができ、かつ異なるロケーション間を移動することができる端末または他のデバイスを指す。ロケーション、ロケーション推定、位置、および位置推定という用語は、本明細書で交換可能に使用され、概して、（ｉ）座標（たとえば、緯度および経度、ならびに、場合によっては、高度）によって表されることが可能な、地球の表面上またはそれより上もしくは下の点または（住所もしくはよく知られている名前など）都市の記述名、あるいは（ｉｉ）何らかの、知られているか、または仮定された確率で関心のエンティティ（an entity of interest）（たとえば、モバイルデバイス）が配置された、地球の表面上またはそれより上もしくは下の小さな領域または量（volume）のいずれかであり得る地理的ロケーションを指す。本明細書では、環境報告および環境報告という用語は互換的に使用される。
【００１７】
[0020]Ａ−ＧＮＳＳ、ＯＴＤＯＡ、ＡＦＬＴ、およびＥ−ＣＩＤなど、モバイルワイヤレスデバイスに関する既存の標準測位方法は、概して、ロケーションサーバをそれのロケーションが必要とされるモバイルデバイスに結合することによって動作する。ロケーションサーバは、その場合、ＧＮＳＳ衛星（たとえば、米国のGlobal Positioning System（ＧＰＳ）、欧州のＧａｌｉｌｅｏシステム、もしくはロシアのＧＬＯＮＡＳＳシステム用の衛星）および／またはネットワーク基地局、ならびにアクセスポイントなどのソースからの無線信号の適切な測定を行うようにモバイルデバイスに指示し、かつモバイルデバイスがそれを行うことを可能にするために支援データをモバイルデバイスに提供することができる。モバイルデバイスは、その後、ロケーション推定の算出のために、それらの測定値をロケーションサーバに戻すことができるか、またはモバイルデバイスは、場合によっては、ロケーションサーバからのそれ以上の支援データの助けにより、独自でロケーション推定を算出することができる。ロケーションサーバは、一般に、モバイルデバイス用の何らかのサービングワイヤレスネットワークもしくはホームワイヤレスネットワークの一部であるか、またはそれらのネットワークから到達可能である。ロケーションサーバの一例は、オープンモバイルアライアンス（ＯＭＡ：Open Mobile Alliance）によってセキュアユーザプレーンロケーション（ＳＵＰＬ：Secure User Plane Location）ロケーション解決策に関して定義されているＳＵＰＬロケーションプラットフォーム（ＳＬＰ：Location Platform）である。別の例は、ロングタームエボリューション（ＬＴＥ：Long Term Evolution）無線技術を使用してネットワークにアクセスしているモバイルデバイスの位置を特定すること（locating）に関する第３世代パートナーシッププロジェクト（３ＧＰＰ：3rd Generation Partnership Project）として知られている組織によって定義されている拡張サービングモバイルロケーションセンタ（Ｅ−ＳＭＬＣ：Enhanced Serving Mobile Location Center）である。これらのロケーションサーバおよび他のサーバの場合、モバイルデバイスの測位は、まず、ロケーションサーバとモバイルデバイスとの間の測位セッションを確立して、ロケーションサーバからモバイルデバイスに支援データを伝えて、モバイルデバイスからロケーションサーバに測定値またはロケーション推定を伝えるために、測位プロトコルを使用することによって、行われ得る。ＬＴＥ無線アクセスに適用可能な測位プロトコルの例は、３ＧＰＰによって公に利用可能な文書で定義されたＬＴＥ測位プロトコル（ＬＰＰ：LTE Positioning Protocol）である。ＬＴＥ技術と他の無線技術の両方に適用可能な測位プロトコルの例は、ＯＭＡからの公に利用可能な文書で定義されたＬＰＰ拡張（ＬＰＰｅ：LPP Extension）プロトコルである。ＬＰＰｅは、ＬＰＰｅメッセージが、通常、ＬＰＰ／ＬＰＰｅメッセージと呼ばれる、組み合わされたメッセージと、ＬＰＰ／ＬＰＰｅと呼ばれる、組み合わされたプロトコルとを用いて、ＬＰＰメッセージ内に通常埋め込まれるように、ＬＰＰと連携して動作すると定義される。
【００１８】
[0021]ある程度まで、既存の標準測位プロトコルは、モバイルデバイスの高度の判断を支援するのを助けるために使用され得る、ロケーションサーバからモバイルデバイスへの大気圧支援データの伝達を可能にする。具体的には、ＬＰＰｅは、Ａ−ＧＮＳＳプロセスの一環として、モバイルデバイスに送信された支援データ内で大気圧データを提供することが可能であり、Ａ−ＧＮＳＳは、モバイルデバイスのための意図された位置方法（position method）である。ＬＬＰｅの場合、そのようなＡ−ＧＮＳＳ大気圧データは、概して、たとえば、ＧＮＳＳ衛星信号によって遭遇される対流圏遅延（a tropospheric delay）を計算するために、大気（たとえば、対流圏）遅延モデルに関する入力として使用される。
【００１９】
[0022]よく知られているように、ある種の大気圧データはまた、たとえば、基準高度に対応する基準大気圧をモバイルデバイスに供給された気圧センサーによって取得された局所大気圧（a local atmospheric pressure）と比較することによって、高度判断のために使用されることも可能である。
【００２０】
[0023]上記で説明されたように、そのようなＡ−ＧＮＳＳ大気圧を取得するために、モバイルデバイスは、Ａ−ＧＮＳＳプロセスに参加するか、またはＡ−ＧＮＳＳプロセスに参加するように少なくとも構成される必要があり得る。残念ながら、一部のモバイルデバイスには、任意の衛星測位システム（ＳＰＳ）能力が供給されていない場合があり、かつ／またはそのようなＡ−ＧＮＳＳプロセスに参加することができるとは限らない場合がある。たとえば、いくつかのモバイルデバイスは、たとえば、いくつかの例を挙げれば、専用位置ビーコン送信デバイス（dedicated position Beacon transmitting devices）、セルラー基地局、（たとえば、ＷＬＡＮアクセスポイントなど）ワイヤレスネットワークサービスアクセスデバイスなど、地上ベースの送信デバイスから取得されたワイヤレス信号に基づくＯＴＤＯＡ位置方法、ＡＦＬＴ位置方法、およびＥ−ＣＩＤ位置方法に関して定義されるもののような、ある種の測位機能を実行するように構成され得る。別の例として、いくつかのモバイルデバイスは、ロケーションサーバからの支援なしに独立モードで、たとえば、ＧＰＳ衛星、Ｇａｌｉｌｅｏ衛星、Ｇｌｏｎａｓｓ衛星など、宇宙船（ＳＶ）から取得されたＳＰＳ信号に基づいて、測位機能を実行するように構成され得る。したがって、一部のモバイルデバイスは、そのようなＡ−ＧＮＳＳ関係の大気圧データを取得することができない場合がある。
【００２１】
[0024]いくつかの事例では、（たとえば、ＬＰＰｅを使用して）Ａ−ＧＮＳＳプロセスに参加して、そのようなＡ−ＧＮＳＳ大気圧データを取得することができるモバイルデバイスは、たとえば、基準高度を参照して（with reference to）、それの高度を成功裏に判断するために、比較的短い時間内にそのようなＡ−ＧＮＳＳ大気圧データを使用することができる場合がある。残念ながら、大部分のロケーションにおいて大気圧は経時的に変化する傾向があるため、その間に、そのような取得されたＡ−ＧＮＳＳ大気圧データがモバイルデバイスに有用であると判明しうる、時間の限定されたウィンドウが存在する可能性があることになる。したがって、モバイルデバイスは、更新されたＡ−ＧＮＳＳ大気圧データをロケーションサーバ（たとえば、ＳＬＰまたはＥ−ＳＭＬＣ）から時々、かつ／または、場合によっては、かなり定期的に取得することが必要な場合がある。残念ながら、そのようなデータダウンロード活動は、多くの場合、限定された処理リソース、メモリリソース、通信リソース、および／または利用可能な電力リソースに影響を及ぼす可能性がある。
【００２２】
[0025]本明細書のいくつかの態様によれば、モバイルデバイスがロケーションサーバなどの（遠隔）電子デバイスから特定の環境に対応する基準データ報告を取得するのを可能にするための様々な方法、装置、および／または製造物品で実装され得る様々な技法が提供される。本明細書で極めて詳細に説明するように、いくつかの事例では、そのような基準データ報告は、そのような基準データ報告の要求に応答して、電子デバイス（たとえば、ロケーションサーバ）によってモバイルデバイスに提供され得る。いくつかの事例では、そのような基準データ報告は、１つまたは複数のクラウドソーシング機能（crowd-sourcing function）の結果として、１つまたは複数の電子デバイスによって１つまたは複数のモバイルデバイスに提供され得る。したがって、ある例示的な実装形態では、基準データ報告は、モバイルデバイスがＡ−ＧＮＳＳプロセスに参加することが可能であるか否か、またはＳＰＳ測位機能をサポートすることが可能であるか否かにかかわらず、モバイルデバイスに提供され得る。
【００２３】
[0026]さらに、いくつかの例示的な実装形態では、そのような基準データ報告は、（たとえば、屋内環境または屋外環境であり得る）特定の環境に対応する基準大気圧と、場合によっては、その特定の環境に関して、かつ／または、場合によっては、局所的な大気圧の潜在的な変化を配慮すらして、拡張された時間期間に関して、そのような基準大気圧をより良好に適用するためにモバイルデバイスによって考慮され得る追加の情報と、を備え得る。たとえば、本明細書で極めて詳細に説明されるように、いくつかの実装形態では、基準データ報告は、特定の環境に対応する基準高度に関する基準大気圧に対応する、圧力有効領域（a pressure validity area）（たとえば、空間の有界領域（a bounded region of space）、特定の屋内環境）、圧力有効期間（a pressure validity period）（たとえば、時間期間）、基準圧力比（a reference pressure rate）（たとえば、予想される経時変化率（an expected rate of change over time））、方向性圧力勾配（a directional pressure gradient）（たとえば、北向き勾配（a northward gradient）、東向き勾配（an eastward gradient））など、またはそれらの何らかの組合せを示すことができる。いくつかの例示的な実装形態では、たとえば、前述のように、Ａ−ＧＮＳＳプロセスをサポートするためにすでに使用されている可能性があるような、１つまたは複数の測位プロトコルは、少なくとも一部、本明細書の例の多くで提示されるような基準データ報告に対応する（accommodate）ように、かつ／あるいはそのような基準データ報告をサポートするようにさらに適合され得る。
【００２４】
[0027]さらに依然として、本明細書のさらに他の態様によれば、基準データ報告によって示される情報のすべてまたは一部は、（特定の環境または環境の特定のセットに対応する）１つもしくは複数の環境報告および／あるいは１つもしくは複数のモバイルデバイスから取得された気象関連報告に少なくとも一部基づき得る。いくつかの例示的な実装形態では、基準データ報告によって示される情報のすべてまたは一部は、特定の環境に対応する、１つまたは複数のモデルから少なくとも一部取得され得る。たとえば、いくつかの実装形態では、基準データ報告によって示されるいくつかの情報は、１つもしくは複数の大気圧モデル、たとえば、（たとえば、気圧（barometric pressure）、温度、湿度、他の気象現象に関する）屋外環境関連の天候予測／報告モデルから、および／または、場合によっては、（たとえば、黒点の監視／予測、磁場変動に関する）他の環境現象関連モデルから、少なくとも一部、取得され得る。たとえば、いくつかの実装形態では、基準データ報告によって示されるいくつかの情報は、１つもしくは複数の屋内環境に対応し得る、たとえば、場合によっては、何らかの、知られているか、もしくは予想される構造、対象物、ならびに／あるいはモバイルデバイスに利用可能な環境センサーによって検出および／または測定され得る１つもしくは複数の環境現象に時々影響を及ぼし得る他の類似の特徴、に対応する、１つもしくは複数の他のタイプのモデルなどから、少なくとも一部、取得され得る。
【００２５】
[0028]さらに、本明細書のいくつかの例で示されるように、いくつかの事例では、基準データ報告によって示される情報は、たとえば、１つもしくは複数のモバイルデバイスによって生成されるような、特定の環境に対応する、１つもしくは複数の環境関連または気象関連の報告に少なくとも一部基づいている可能性がある。本明細書でより詳細に説明されるように、いくつかの事例では、複数の環境報告は、クラウドソーシング機能の一部として請求および／または取得されることが可能であり、基準データ報告を生成するために少なくとも一部使用され得る、１つもしくは複数のモデルは、環境報告のうちの１つもしく複数から取得または導出される情報に少なくとも一部基づいて影響を受ける可能性がある。したがって、いくつかの事例では、そのような環境報告は、１つまたは複数のモバイルデバイスによって経験されるような、特定の環境に関するフィードバックの可能性をもたらし、そのようなフィードバックは、後続の基準データ報告を生成するときに考慮され得る。したがって、いくつかの事例では、基準データ報告内に示される基準大気圧および／または他の類似の情報は、１つもしくは複数の環境報告を介して取得された情報に少なくとも一部基づき得る。
【００２６】
[0029]たとえば、特定の屋内領域（たとえば、多層建造物）に関する基準大気圧は、１つもしくは複数のモバイルデバイスから受信された１つもしくは複数の環境報告によって示されるような、１つもしくは複数の局所大気圧および／または局所大気圧履歴に少なくとも一部基づいて判断され得る。実際、いくつかの事例では、屋外気圧と屋内気圧との間に若干の差が存在する場合があり、したがって、屋内環境に関して適切な基準大気圧を取得すること、および／あるいは、たとえば、特に、建造物内でそれの高度および垂直位置を推定するとき、そのような差を配慮することができることは、モバイルデバイスにとって有益であり得る。したがって、いくつかの例示的な実装形態では、モバイルデバイスの現在の高度を判断し、したがって、場合によっては、モバイルデバイスが現在配置されている可能性がある多層建造物の特定の階を識別するために、屋内領域内で使用するのに適した基準大気圧および基準高度を（たとえば、モバイルデバイス内の測位機能によって）示すことが可能な基準データ報告が（屋内領域に入る可能性があるか、および／またはそのような屋内領域にあり得る）モバイルデバイスに提供されることが可能であり得る。
【００２７】
[0030]したがって、いくつかの例示的な実装形態では、モバイルデバイスからの環境報告は、特定の環境内の種々の異なる検出可能な、測定可能な、および／あるいは、場合によっては、観測可能な現象を示すことが可能である。実際、本明細書でより詳細に説明されるように、環境センサーベースの測定などに加えて、いくつかの例示的な実装形態では、モバイルデバイスからの環境報告は、さらに、かつ／または代替で、１つもしくは複数のユーザ供給観測（user-supplied observations）に少なくとも一部基づく情報を示すことが可能である。たとえば、いくつかの事例では、（場合によっては、クラウドソーシング機能の一部として）、１人もしくは複数のユーザは、いくつかの例を挙げれば、それらの特定の環境が屋内環境であるか、もしくは屋外環境であるか、それらのユーザが現在どの階／レベルにいる可能性があるか、どの程度の雪が降ったか、もしくはどの程度の大きさの雹に見舞われているかを推定するために、道路が氷で覆われているように見えるか否かまたは乾燥しているように見えるか否か、あるいは、場合によっては、何らかの竜巻もしくは漏斗雲が存在するかどうか、を示すように催促され得る。
【００２８】
[0031]したがって、いくつかの実装形態では、クラウドソーシング機能などは、基準データ報告内の情報を精緻化すること、および／あるいは、特定の環境に対応しその基準データ報告に関する１つまたは複数のモデルに影響を及ぼすこと、を支援することができる。同様に、いくつかの実装形態では、クラウドソーシング機能などは、特定の環境に対応する様々な形の情報を、モバイルデバイスを介して収集するのを支援することができる。いくつかの例示的な実装形態では、クラウドソーシング機能などは、複数のモバイルデバイスが、特定の環境内のある種の現象について報告する気象報告局などの分散された／選択可能なセットとして少なくとも一部サービスするのを可能にし得る。
【００２９】
[0032]この序論を念頭に置いて、次に、特定の環境１０８の少なくとも一部に対応する環境報告１０６を生成することができる装置１０４を有する、少なくとも１つのモバイルデバイス１０２を備える例示的な構成１００を示す概略ブロック図である図１に注目する。本明細書でより詳細に説明されるように、構成１００は、その各々が特定の環境１０８の少なくとも一部に対応する環境報告を生成するための能力を有し得る複数のモバイルデバイス１０３を備えることが可能である。いくつかの実装形態では、モバイルデバイス１０３のうちのいくつかは、モバイルデバイス１０２が環境１０８内に存在するのと同時に、他の環境に存在し得る（たとえば、モバイルデバイス１０２のロケーション以外のロケーションに存在し得る）。いくつかの実装形態では、モバイルデバイス１０２は、一時的な時間期間（たとえば、数秒、数分、または数時間）の間、環境１０８に存在する場合があり、他の時点で、他の環境に移動し得る（たとえば、他のロケーションに移動し得る）。いくつかの実装形態では、モバイルデバイス１０２は、（たとえば、モバイルデバイス１０２が周期的にまたは断続的に特定のロケーションに戻る場合）周期的にまたは断続的に環境１０８に存在し得る。
【００３０】
[0033]本明細書で提示される、特定の環境１０８は、たとえば、屋内環境の少なくとも一部および／または屋外環境の少なくとも一部を表し得る。本明細書で使用される、屋内環境は、特に、屋外環境と比較して、ある種のワイヤレス信号の見通し線受信および／または送信（line-of-sight reception and/or transmission）を時々妨げる可能性がある、１つもしくは複数の人工構造物ならびに／あるいは自然発生的な対象物によって少なくとも一部本質的に境界された（bounded）、空間の限定領域を備え得る。いくつかの事例では、たとえば、屋内環境のすべてまたは一部は、１人もしくは複数の人物を自然発生的な気象現象、たとえば、風、雨、雪、日光などから時々少なくとも一部保護し得る、空間の領域を形成する１つもしくは複数の人工構造物および／または自然発生的な対象物の固定された構成を備え得る。したがって、いくつかの事例では、屋内環境は、いくつかの例を挙げれば、たとえば、１つもしくは複数の建造物、完全にもしくは一部覆われた駐車場、完全にもしくは一部覆われたスタジアム、完全にもしくは一部覆われた歩道、樹木園、温室、トンネル、洞窟、ある種の自然発生的な渓谷または人工的な「都市の谷間」など、あるいはそれらの何らかの組合せなど、１つもしくは複数の構造物のすべてまたは一部を備え得る。いくつかの実装形態では、環境１０８は、それを通して条件（たとえば、温度、照明、湿度、気圧）が制約されるか、またはほぼ制約される、空間の領域に限定され得る。そのような環境の例としては、建造物内の部屋、建造物の階、建造物内の階段の吹き抜けの一部、建造物内の廊下もしくは廊下の一部、閉鎖型競技場（an enclosed amphitheater）もしくは閉鎖型競技場の一部、空港ターミナルのゲート領域または一部、列車サブシステムのプラットフォームなどがある。
【００３１】
[0034]反対に、本明細書で使用される、屋外環境は、屋内環境と見なされ得ない、空間の任意の領域を備え得る。したがって、屋外環境は、ある種のワイヤレス信号の見通し線受信および／もしく送信を実質的に妨げる可能性がある、近接する人工構造物ならびに／または自然発生的な対象物を、あるとしてもごく少数、有してよく、あるいは有さなくてもよい。したがって、いくつかの事例では、屋外環境は、いくつかの例を挙げれば、１つもしくは複数の建造物、駐車場、屋外の公園もしくフィールド、ある種の通りもしくは自動車道路など、あるいは、それらの何らかの組合せに隣接する、空間の領域のすべてまたは一部を備え得る。
【００３２】
[0035]特定の環境１０８が屋内環境および／または屋外環境を備えるかどうかにかかわらず、モバイルデバイス１０２は、特定の環境１０８の少なくとも一部の中で移動すること、ならびに／あるいはナビゲートすること、ならびに／あるいは移動されていることが可能な人物（および／または、何らかの対象物に取り付けられた機械）によって携行され得る任意の電子デバイスを表すことが意図される。したがって、例として、モバイルデバイス１０２は、たとえば、セルラー電話、スマートフォン、タブレットコンピュータ、ラップトップコンピュータ、ナビゲーションデバイスおよび／もしくは追跡デバイス、着用可能コンピュータ、取り付けられた追跡デバイスなど、またはそれらの何らかの組合せなど、携帯用の通信デバイスならびに／あるいはコンピューティングデバイスを表す場合がある。
【００３３】
[0036]本明細書でより詳細に説明されるように、装置１０４は、モバイルデバイス１０２に供給された、１つまたは複数の環境センサー（図示せず）からの１つもしくは複数の測定値に少なくとも一部基づいて、環境報告１０６を生成することができる。たとえば、いくつかの事例では、環境報告１０６は、気圧計、温度計、湿度計、磁力計、放射計、粒子検出器、光検出器などから取得される特定の環境１０８に対応する現在のおよび／または記憶された履歴測定値に少なくとも一部基づき得る。いくつかの事例では、環境報告１０６は、特定の環境１０８に対応する、１つまたは複数のユーザ供給観測値に少なくとも一部基づき得る。実際には、いくつかの事例では、環境報告は、ある種の基準データ報告内で示されることが可能な（たとえば、例示的な基準大気圧以外の）１つまたは複数の基準現象値に少なくとも一部基づき得る。
【００３４】
[0037]いくつかの例示的な実装形態では、環境報告１０６は、局所大気圧および／または大気圧履歴（たとえば、ヘクトパスカル（ｈＰａ）で測定された気圧など）、局所大気温度および／または大気温度履歴（たとえば、摂氏で測定された周囲温度（ambient temperature）など）、局所大気湿度および／または湿度履歴を示すことが可能である。
【００３５】
[0038]いくつかの例示的な実装形態では、環境報告１０６は、モバイルデバイス１０２の現在の水平位置ならびに／または水平位置履歴（たとえば、緯度座標および経度座標など）、モバイルデバイス１０２の移動ならびに／または移動履歴（たとえば、測位機能および／もしくは他の類似の能力に対応する、水平位置、速さ、速度、軌道、方向などの相対的変化）、ならびに／またはモバイルデバイス１０２の高度ならびに／または高度履歴（たとえば、海水位などの基準点からの垂直距離など）を示すことが可能である。
【００３６】
[0039]いくつかの例示的な実装形態では、環境報告１０６は、環境報告１０６を生成するために使用される、１つもしくは複数のセンサーベースの測定に適用されている可能性があるか、または適用可能であり得る、１つもしくは複数の較正パラメータを示すことが可能である。ここで、そのような較正パラメータのうちの１つまたは複数は、電子デバイス１１０から取得された基準データ報告１１４内の情報に少なくとも一部基づいて判断され得る。
【００３７】
[0040]いくつかの例示的な実装形態では、環境報告１０６は、モバイルデバイス１０２が屋内環境内もしくは屋外環境内に配置される可能性が高いかまたは高かったかを示すことが可能であり、ここにおいて、あるセンサーベースの測定値および／または屋内ユーザ供給観測値が取得された。たとえば、モバイルデバイス１０２が（断続的にまたは連続して）移動しており、異なる時点で、かつ異なるロケーションに関して行われたセンサー測定の履歴を環境報告１０６内に記憶する場合、屋外から屋内環境への移動は、（ｉ）圧力の突然の変化（たとえば、建造物内の強制換気に基づく空調または暖房装置の使用による、建造物に入るときの圧力の増大）、（ｉｉ）温度の突然の変化（たとえば、寒い屋外環境から暖かい屋内環境に移動するときの温度の上昇、または暑い屋外環境から温暖な屋内環境に移動するときの温度の低下）、および／あるいは（ｉｉｉ）照明の突然の変化（たとえば、太陽に照らされた屋外環境から人工的に光が照らされた屋内環境に移動するときの照明の低下、または夜間の屋外環境から光に照らされた屋内環境に移動するときの照明の増加）のうちの１つもしくは複数から推論され得る。（ｉ）、（ｉｉ）、および（ｉｉｉ）に例示された変化の逆は、屋内から屋外環境への移動を推論するために使用され得る。他のタイプのセンサー測定値およびセンサー測定値の変化は、屋内に対する屋外環境のロケーション、またはあるそのような環境から別の環境への移動、たとえば、音響（音声、交通量、エコー）、紫外線放射、（たとえば、車両からの）振動を推論するために使用されることが可能であり、（建造物、もしくは地下鉄網、または地下駐車場の中、あるいは車両の中にいることなど）異なるタイプの屋内環境間および（露地（an open field）、通り、森林、山など）異なるタイプの屋外環境間をさらに区別するために使用され得る。
【００３８】
[0041]モバイルデバイス１０２が屋内にあるかまたは屋外にあるかの知識は、いくつかの実装形態では、任意のロケーションにおける地表レベル高度を提供する地形図または等高線図に基づいてモバイルデバイス１０２に関する高度を推論するために使用され得る。何らかのサーバ（たとえば、電子デバイス１１０）によって、または製造会社においてモバイルデバイス１０２に供給される場合、そのような地形図または等高線図がモバイルデバイス１０２に利用可能であり得る。この場合、モバイルデバイス１０２は、それが屋外または建造物内の一階のいずれかにあり、かつ（たとえば、Ａ−ＧＮＳＳ、ＯＴＤＯＡ、ＡＦＬＴ、またはＥ−ＣＩＤを使用して）それの水平ロケーションを判断することができることを推論し得るとき、その高度を判断することができる。あるいは、そのような地形図または等高線図は電子デバイス１１０に利用可能であり得、その場合、電子デバイス１１０は、それの関連するセンサー測定値が、モバイルデバイス１０２が屋外または建造物の一階のいずれかにあることを示す、モバイルデバイス１０２によって提供される水平ロケーションに関してモバイルデバイス１０２の高度を判断するために、モバイルデバイス１０２によって提供された環境報告１０６を使用することができる。モバイルデバイス１０２が、建造物内であるが、一階にあるという判断は、モバイルデバイス１０２が屋外から屋内環境に移動したことをまず推論し、次いで、モバイルデバイス１０２がまだ建造物内で階上または階下に移動していないことを（たとえば、加速度計など、慣性センサーを使用することによって）推論することによって可能であり得る。モバイルデバイス１０２からの気圧測定値または（たとえば、加速度計、ジャイロスコープ、磁力計などからの）他のセンサー測定値が、地表レベルを超えるかもしくはそれに満たないモバイルデバイス１０２に関する相対高度を提供する場合、そのような地形図または等高線図は、（モバイルデバイス１０２または電子デバイス１１０のいずれかによって）モバイルデバイス１０２の高度を判断するためにさらに使用され得る。この場合、地形図または等高線図は、モバイルデバイスが地表レベルにないときですら、建造物内のモバイルデバイス１０２の高度を判断するために有用であり得る。
【００３９】
[0042]いくつかの実装形態では、装置１０４は、少なくとも１つの（遠隔）電子デバイス１１０内に供給された装置１１２によって少なくとも一部生成され得る基準データ報告１１４内の、かつ／またはそれから導出された、情報に少なくとも一部基づいて、環境報告１０６を生成することができる。例として、電子デバイス１１０は、１つもしくは複数のサーバ（たとえば、ＳＵＰＬ  ＳＬＰなどのロケーションサーバ）の一部として供給される１つもしくは複数のコンピューティングプラットフォーム、および／または他の類似の電子デバイスを表すことができる。
【００４０】
[0043]本明細書でより詳細に説明されるように、いくつかの事例では、装置１１２は、１つまたは複数のモバイルデバイスから取得された、１つまたは複数の環境報告１０６からの情報に少なくとも一部基づいて、基準データ報告１１４を生成することができる。たとえば、いくつかの事例では、装置１１２は、複数のモバイルデバイス１０３からの環境報告を介して現在の情報および／または履歴情報を収集する、１つもしくは複数のクラウドソーシング機能を実行ならびに／あるいはサポートすることができる。いくつかの事例では、クラウドソーシング機能は、特定の環境に対応するモデル（たとえば、環境モデル）が、その特定の環境内に現在配置され得る（または、その特定の環境内にすでに配置されている可能性がある）モバイルデバイスからの１つもしくは複数の環境報告から取得ならびに／または導出された情報に少なくとも一部基づいて、何らかの方法で影響を受けるのを可能にし得る。いくつかの事例では、基準データ報告は、全国もしくは地域の気象サービスまたは気象局、ネットワーク基地局およびアクセスポイントに取り付けられた環境センサー、車両、列車、船、および飛行機などに取り付けられたワイヤレス環境センサーなど、モバイルデバイス以外のソースから取得されたデータに少なくとも一部基づき得る。
【００４１】
[0044]したがって、いくつかの例示的な実装形態では、構成１００は、複数のモバイルデバイスが、たとえば、クラウドソーシング機能の一部として、特定の環境１０８内の現象に関するある種のデータを収集するように勧誘され得る監視能力を提供し得る。例として、構成１００は、気象監視能力を提供し得、ここにおいて、複数のモバイルデバイス１０３は、センサー測定値など、および／または特定環境１０８に関するユーザ供給入力を収集して、対応する環境報告を生成して、電子デバイス１１０にそのような環境報告を送信することができる。別の例では、構成１００は、放射監視能力を提供し得、ここにおいて、複数のモバイルデバイス１０３は、センサー測定値など、および／または特定環境１０８内の適用可能な現象に関するユーザ供給入力を収集して、対応する環境報告を生成して、電子デバイス１１０にそのような環境報告を送信することができる。
【００４２】
[0045] そのような測定可能なおよび／または観測可能な現象を監視、予測、モデル形成、テストすることなどに関する種々の異なる能力は、本明細書で提供される例示的な技法によって少なくとも一部サポートされ得ることを当業者は認識されよう。したがって、別段に明記されていない限り、特許請求される主題は、本明細書で説明される例のうちのいずれかによって限定されるとは限らないことが意図される。
【００４３】
[0046]図１に例示されるように、モバイルデバイス１０２および電子デバイス１１０は、本明細書に例示されるように、それぞれ、例示的な直接通信リンク１１６によって、ならびに通信リンク１１８、ネットワーク１２０、および通信リンク１２２の組合せによって、直接的に、あるいは１つもしくは複数のワイヤードおよび／またはワイヤレス通信リンクを介して間接的に通信することができる。ネットワーク１２０は、ワイヤードおよび／またはワイヤレス電子通信をサポートすることが可能な、１つもしくは複数の他の電子デバイスならびに／あるいは通信設備／リソースのすべてまたは一部を表すことが意図される。したがって、たとえば、ネットワーク１２０は、電話網、セルラー電話網、ワイヤレス通信ネットワーク、イントラネット、インターネットなど、またはそれらの何らかの組合せのすべてもしくは一部を備え得る。
【００４４】
[0047]通信リンク１１８は、ここでは、「ワイヤード」通信リンクを表すとして示されるが、いくつかの事例では、通信リンク１１８は、１つもしくは複数のワイヤードおよび／またはワイヤレス通信リンクを表す場合があることを理解されたい。さらに、「ワイヤード」通信リンクは、導電性ワイヤー、ケーブルなど、および／あるいは、たとえば、光ファイバーケーブルもしくは導波管など、類似の光または他の波長の伝導性部材を備え得ることを理解されたい。
【００４５】
[0048]さらに示されるように、いくつかの実装形態では、構成１００は、時々、モバイルデバイス１０２によって獲得されて、測位機能をサポートするために少なくとも一部使用され得る適用可能ワイヤレス信号を送信することができる、１つもしくは複数の空間測位システム（space positioning systems）（ＳＰＳ）１３０および／または地上測位システム（terrestrial positioning systems）１４０を備え得る。ここでは、たとえば、ＳＰＳ１３０は、その各々が１つまたは複数のＳＰＳ信号１３４を送信することができる複数の宇宙船（ＳＶ）１３２を備え得る。さらに、たとえば、地上測位システム１４０は、１つもしくは複数の測位信号１４４または測位のために使用され得る他の信号１４４を送信することができる、複数の基地局、アクセスポイント（ＡＰ）１４２などを備え得る。
【００４６】
[0049]モバイルデバイス１０２は屋外環境内に配置されるが、モバイルデバイス１０２は、少なくともモバイルデバイス１０２の水平位置の、および／または他の位置／移動パラメータの、すべてもしくは一部を判断する際に支援するために少なくとも一部、次には使用され得る、ある種のＳＰＳ信号１３４を獲得することが可能であり得る。実際、いくつかの事例では、モバイルデバイス１０２は、それの高度を判断するために十分なＳＰＳ信号１３４を獲得することができる。
【００４７】
[0050]残念ながら、言及されたように、モバイルデバイス１０２はある種の屋内環境またはそれの一部の中に配置されるが、モバイルデバイス１０２は、十分な数のＳＰＳ信号１３４を（あるいは、１つのＳＰＳ信号１３４でさえ）獲得することができない可能性がある。それでも、いつかの事例では、ある種の屋内環境内に配置されているとはいえ、モバイルデバイス１０２は、少なくともモバイルデバイス１０２の水平位置の、および／あるいは他の位置／移動パラメータの、すべてまたは一部を判断するために少なくとも一部使用され得る、１つもしくは複数の測位信号１４４を１つもしくは複数のＡＰ１４２から獲得することができる。
【００４８】
[0051]残念ながら、いくつかの事例では、モバイルデバイスが屋内環境にあるか、または屋外環境にあるかにかかわらず、モバイルデバイス１０２は、測位機能がモバイルデバイス１０２の高度（すなわち、正確な高度）を判断するのを可能にするために十分な数のＳＰＳ信号１３４および／または測位信号１４４を簡単に獲得することができない。同様に、場合によっては、ある種の測位信号１４４は、モバイルデバイス１０２の高度（すなわち、正確な高度）を判断する際に有用であるとは限らない可能性がある。たとえば、ＡＰ１４２から獲得された測位信号１４４は、ＡＰの水平位置が知られているか、または判断可能である場合だけ、水平位置を判断する際に有用であるにすぎない。
【００４９】
[0052]本明細書で前に言及したように、地形図もしくは等高線図がモバイルデバイス１０２またはモバイルデバイス１０２と通信中の何らかのサーバ（たとえば、電子デバイス１１０）に利用可能である場合、（たとえば、ＳＰＳ信号１３４および／または測位信号１４４から）モバイルデバイス１０２に関する水平位置が取得され得るとき、モバイルデバイス１０２に関する高度を判断することが可能であり得る。しかし、いくつかの事例では、モバイルデバイスに関する正確なもしくは信頼性が高い水平位置を取得することは可能でない場合があるか、あるいはモバイルデバイス１０２のロケーションに関する地形図もしくは等高線図は利用可能でない場合があるか、またはモバイルデバイス１０２は、そのモバイルデバイス１０２が地表レベルより高い、知られてない高さ、もしくはそれよりも低い、知られてない深さにおける、ある建造物内にあり得ると推論することができる。これらの状況で、前述の手段を使用して、モバイルデバイス１０２に関する高度を取得することは可能でない場合がある。
【００５０】
[0053]本明細書で提供される、いくつかの例示的な実装形態によれば、モバイルデバイス１０２は、基準データ報告１１４と、環境報告１０６を生成するために収集されてよく、または収集されなくてもよいセンサー測定値とに少なくとも一部基づいて、それの高度を判断することが可能であり得る。例として、基準データ報告１１４は、特定の環境１０８に関する、（海水位、または海水位より高い何らかの知られている高さ、あるいは地球の表面を正確に表す基準楕円体もしくは他の基準形状より高い何らかの知られている高さまたはそれより低い何らかの知られている深さなど、基準高度に対応する）少なくとも基準大気圧を示すことができる。モバイルデバイス１０２は、次いで、たとえば、搭載された気圧計（an onboard barometer）を使用して、局所大気圧を判断して、たとえば、知られている高度測定技法を使用して、基準大気圧に基づいて、モバイルデバイス１０２の高度を判断することができる。いくつかの実装形態では、基準データ報告１１４は、モバイルデバイス１０２が、モバイルデバイス１０２の現在の水平ロケーションおよび現在の時間点に関して、基準大気圧が有効であるか否かを判断するのを可能にする、定義された有効領域（a defined validity area）ならびに／または有効時間期間（validity time period）を含み得る。いくつかの実装形態で、基準データ報告１１４は、基準大気圧に関する空間的および／または時間的勾配（a spatial and/or temporal gradient）、あるいはモバイルデバイス１０２が任意の所与の有効領域内のまたは有効時間期間内の、および／もしくはその外の基準大気圧を判断するのを可能にする他の情報を提供し得る。
【００５１】
[0054]次に、基準データ報告１１４を受信および処理するために、モバイルデバイス１０２内で少なくとも一部実装され得る例示的なプロセス２００を示すフロー図である図２に注目する。
【００５２】
[0055]例示的なブロック２０２で、モバイルデバイス１０２は、特定の環境１０８の基準高度に対応する、少なくとも基準大気圧と、オプションで、その基準大気圧に対応する圧力有効領域、および／または基準大気圧に対応する圧力有効期間のうちの少なくとも１つと、を示す基準データ報告１１４を取得することができる。例示的なブロック２０４として、いくつかの事例では、モバイルデバイス１０２は、基準データ報告１１４に関する要求を（たとえば、１つもしくは複数のＳＵＰＬメッセージおよび／または１つもしくは複数のＬＰＰ／ＬＰＰｅ測位プロトコルメッセージなど、１つもしくは複数のメッセージの形で）遠隔デバイス１１０に送信することができる。ここでは、たとえば、そのような要求は、基準データ報告１１４の少なくとも一部を使用して、モバイルデバイス１０２によって少なくとも一部実行される（たとえば、現在実行されているか、または実行されることが予想される）測位機能に対応し得る。いくつかの他の事例では、モバイルデバイス１０２からの任意の要求が存在しない場合、たとえば、何らかの事前の構成によって、または遠隔デバイス１１０が、基準データ報告１１４を利用するためのモバイルデバイス１０２の能力について知っている場合、基準データ報告１１４は、（たとえば、遠隔デバイス１１０によって）モバイルデバイス１０２に提供され得る。基準データ報告１１４は、１つもしくは複数のＳＵＰＬメッセージおよび／または１つもしくは複数のＬＰＰ／ＬＰＰｅ測位プロトコルメッセージなど、１つもしくは複数のメッセージの形で（たとえば、遠隔デバイス１１０によって）モバイルデバイス１０２に提供され得る。いくつかの実装形態では、遠隔デバイス１１０は、図３のプロセス３００および／または図４のプロセス４００に従って、以前の時間にもしくは以前の複数の時間に、モバイルデバイス１０２から、かつ／または以前の時間にもしくは以前の複数の時間に、他のモバイルデイバス１０３から、受信された環境の報告１０６を少なくとも一部使用して、基準データ報告１１４を判断することができる。遠隔デバイス１１０は、次いで、ブロック２０２で、判断された基準データ報告１１４をモバイルデバイス１０２に送ることができる。
【００５３】
[0056]例示的なブロック２０６で、モバイルデバイス１０２は、それの高度を判断することが必要であるかどうかを判断することができるが、基準データ報告１１４を使用せずにそれを行うことはできない。この判断の出力が「はい」である場合、その後、ブロック２０８で、モバイルデバイス１０２は、モバイルデバイス１０２に供給された１つの環境センサー（または、２つ以上の環境センサー）を使用して、局所大気圧の測定値を取得することができる。前述のように、例として、いくつかの事例では、環境センサーは、気圧計、温度計、湿度計などを備え得る。モバイルデバイス１０２は、次いで、（たとえば、概算ロケーションの場合、それのサービングセルに関するロケーションに基づいて）正確にまたは概算的に、のいずれかでそれの水平ロケーションを判断して、このロケーションが基準データ報告１１４に関する任意の圧力有効領域内にあるかどうかを判断することも可能である。モバイルデバイスは、（たとえば、モバイルデバイス１０２に知られている、またはサービングネットワークもしくはＳＰＳ信号から取得された）現在の時間が基準データ報告１１４に関する任意の圧力有効期間内であるかどうかをさらに判断することができる。これらの条件が満たされたとき、または（たとえば、基準データ報告１１４を組み立てる（assembling）とき、遠隔デバイス１１０はモバイルデバイス１０２のロケーションと現在の時間とを考慮に入れるため）基準データ報告１１４が、あるいは、モバイルデバイス１０２によって無条件で信頼性が高いと見なされる場合、次には、例示的なブロック２１０で、モバイルデバイス１０２は、測定された局所大気圧と、基準データ報告１１４を介して取得された基準大気圧とに少なくとも一部基づいて、それの高度を判断するために、基準データ報告１１４を使用することができる。モバイルデバイス１０２は、たとえば、何らかの後の時点で、それの高度を判断する目的で、後で使用するために基準データ報告１１４を記憶することもできる。
【００５４】
[0057]ブロック２０６における判断の出力が「いいえ」である場合、次には、例示的なブロック２１２で、モバイルデバイス１０２は、局所大気圧を測定または使用することに関連する１つの環境センサー（もしくは、２つ以上の環境センサー）を較正あるいは再較正することが必要であるかどうかを判断し、局所大気圧を測定する以外の手段を使用して（たとえば、ＳＰＳ信号１３４および／または測位信号１４４ならびに／あるいは地形図もしくは等高線図を使用して）それの高度を判断することができる。例示的なブロック２１２におけるこの判断の出力が「はい」である場合、ブロック２１４で、モバイルデバイス１０２は、１つの環境センサー（または、２つ以上の環境センサー）を使用して、局所大気圧を測定して、例示的なブロック２１６に進むことができる。ブロック２１６で、モバイルデバイス１０２は、測定された大気圧と、基準データ報告１１４と、局所大気圧を測定する以外の手段によって取得された、モバイルデバイス１０２に関する高度とを使用して、ブロック２１４で局所大気圧を測定するために使用されたその１つの環境センサー（または２つ以上の環境センサー）を較正することができる。ブロック２１６に関する例として、モバイルデバイス１０２は、基準データ報告１１４と局所大気圧測定値とに少なくとも一部基づいて較正パラメータを判断することができる。たとえば、いくつかの事例では、気圧計ならびに／またはサポートされる高度計能力（および／もしくは対応する測定値）は、調整され得るか、あるいは較正パラメータに基づいて、何らかの方法で影響され得る。較正パラメータは、モバイルデバイス１０２の判断された水平ロケーションおよび高度における、かつ基準データ報告１１４内の基準大気圧および任意の空間的または時間的な圧力勾配情報に基づく現在の時間における、計算された大気圧であり得る。モバイルデバイス１０２は、次いで、モバイルデバイス１０２による大気圧の内部判断を計算された大気圧と整合させる（align）ために必要とされるそれのセンサー（たとえば、気圧センサー、湿度計、温度計）のうちの１つまたは複数に対する調整値を計算することができる。いくつかの実装形態では、（たとえば、２つ以上の環境センサーが較正されることが必要であるとき）、モバイルデバイス１０２は、１つまたは複数の環境センサーを正確に調整するための十分な較正パラメータを取得するために、異なるロケーションおよび時間において（かつ、場合によっては、ブロック２１６の各反復に関して、異なる基準データ報告１１４を使用して）ブロック２１６を複数回繰り返すことができる。モバイルデバイス１０２は、基準データ報告１１４を記憶すること、ならびに／あるいは、例示的なブロック２１６において、より高い較正精度および信頼性を達成するために、かつモバイルデバイス１０２内のセンサー変更が何らかの前の較正をもはや正確性または信頼性のないものにするとき、再較正を実現するために、（たとえば、プロセス２００のさらなる反復、もしくは単にブロック２１４および２１６のさらなる反復によって）他の時点およびロケーションにおいて較正プロセスを繰り返すこと、も可能である。
【００５５】
[0058]ブロック２１２における判断の出力が「いいえ」である場合、次には、ブロック２１８で、モバイルデバイス１０２は、後で使用するために、ブロック２０２で取得された基準データ報告１１４を記憶することができる。たとえば、モバイルデバイス１０２がその高度を取得する必要がある場合、あるいは、記憶された基準データ報告１１４に関して規定された任意の有効期間および／または有効領域内にそれぞれ依然としてある、後の時点でかつ／もしくは異なるロケーションで、環境センサーを較正する必要がある場合、モバイルデバイス１０２は、記憶された基準データ報告１１４を使用して、後の時点で、ブロック２０６および／またはブロック２１２に加えて、これらの各々の後続のブロックを実行することができる。
【００５６】
[0059]次に、環境報告１０６を生成するために、モバイルデバイス１０２内で少なくとも一部実装され得る例示的なプロセス３００を示すフロー図である図３に注目する。例示的なブロック３０２で、モバイルデバイス１０２は、環境センサーを使用して、測定値を取得することができる。異なる環境センサーに関する測定の例は、気圧計の場合、局所大気圧、温度計の場合、温度、湿度計の場合、湿度、光もしくはＵＶセンサーの場合、光またはＵＶレベル、オーディオセンサーの場合、オーディオレベルもしくはオーディオ周波数、磁力計もしくはジャイロスコープの場合、方向、を含む。いくつかの実装形態では、モバイルデバイス１０２は、ブロック３０２で、他の環境センサーを使用して、追加の測定値を取得することができ、局所関連測定値からモバイルデバイス１０２の水平ロケーション、ならびに、いくつかの事例では、高度が取得され得るその局所関連測定値を（たとえば、ＳＰＳ信号１３４および／または測位信号１４４の測定から）取得することができる。例示的なブロック３０４で、モバイルデバイス１０２は、ブロック３０２において少なくとも１つの環境センサーによって取得された１つまたは複数の測定に少なくとも一部基づいて、環境報告１０６を生成することができる。たとえば、いくつかの事例では、環境報告１０６は、ブロック３０２で行われた、いくつかのＳＰＳ信号１３４および／もしくは測位信号１４４の測定に少なくとも一部基づいて判断され得る、モバイルデバイス１０２の現在の水平ロケーションならびに／または現在の高度を含み得る。そのような測定は、環境報告１０６内に含まれることが可能であるか、または環境報告１０６に関連し得、その場合、遠隔デバイス（たとえば、遠隔デバイス１１０）は、モバイルデバイス１０２の水平ロケーションおよび高度を計算することができ、または、そのような測定は、次いで、環境の報告１０６内に含まれることが可能であるか、もしくは環境の報告１０６に関連し得るそれの水平ロケーションおよび高度を算出するためにモバイルデバイス１０２によって使用され得る。いくつかの実装形態では、ＳＰＳ信号１３４および／もしくは測位信号１４４の測定、ならびに／または水平ロケーションおよび高度の計算は、（たとえば、ＳＵＰＬおよび／またはＬＰＰ／ＬＰＰｅメッセージを使用して提供される）モバイルデバイス１０２に対する支援データの供給によって、モバイルデバイス（たとえば、遠隔デバイス１１０）を通して支援され得る。いくつかの実装形態では、モバイルデバイス１０２または遠隔デバイス（たとえば、遠隔デバイス１１０）は、本明細書で前に説明されたように、モバイルデバイス１０２の高度を判断するために、または判断するのを助けるために、地形図もしくは等高線図を使用することができる。環境報告１０６は、モバイルデバイス１０２の搭載された気圧計によって取得された、測定された局所大気圧、および湿度、温度、照明、サウンドレベル、サウンドのタイプなど、他の環境条件の測定値をさらに備えることが可能である。同様に、いくつかの事例では、環境報告１０６は、過去に異なるロケーションにおいて、かつ／もしくは異なる時間においてモバイルデバイス１０２によって行われたロケーションならびに環境測定値の履歴を示すことが可能であり、その中で、特定のロケーションおよび時間において行われたロケーションならびに環境測定値は、（ｉ）水平ロケーションおよび／または高度、（ｉｉ）ＳＰＳ信号１３４および／または測位信号１４４の測定値、ならびに（ｉｉｉ）気圧、湿度、および温度など、１つもしくは複数のセンサー測定値のうちの１つもしくは複数を備える。いくつかの例示的な実装形態では、環境報告１０６は、現在の局所大気圧、局所大気圧履歴、現在の水平位置、水平位置履歴（a horizontal position history）、現在の移動、移動履歴、現在の大気温度、大気温度履歴、現在の大気湿度、大気湿度履歴、較正パラメータなど、またはそれらの何らかの組合せを示すことが可能である。いくつかの例示的な実装形態では、環境報告１０６は、たとえば、場合によっては、測位機能、１つもしくは複数の獲得された信号（たとえば、ＳＰＳ信号１３４、測位信号１４４）、および／またはその欠如によって判断され得るように、モバイルデバイス１０２が屋内環境内にある可能性が高いか、あるいは屋外環境内にある可能性が高いかを示すことが可能である。環境報告１０６は、環境測定値の任意の特定のセット、ならびに任意の関連する水平ロケーションおよび高度（または、ロケーション測定値）がモバイルデバイス１０２によって取得された日付および時間を（たとえば、タイムスタンプの形で）さらに含み得る。
【００５７】
[0060]いくつかの実装形態では、環境報告１０６は、モバイルデバイス１０２の水平ロケーション（たとえば、緯度座標および経度座標）を備え得るが、高度を備えない場合がある。水平ロケーションは、Ａ−ＧＮＳＳ、ＯＴＤＯＡ、ＡＦＬＴ、およびＥ−ＣＩＤのような方法を使用して判断され得る。いくつかの実装形態では、環境報告１０６は、モバイルデバイス１０２の相対高度（たとえば、地表レベルを超えるか、またはそれに満たない相対高度）を備えることが可能であり、慣性センサー（たとえば、加速度計、ジャイロスコープ、磁力計、気圧計、および／もしくはコンパス）を使用して、モバイルデバイス１０２によって取得され得る。いくつかの実装形態では、環境報告１０６は、モバイルデバイスがある環境（たとえば、屋内または屋外）内にあるかどうかを示すか、または示すのを助ける、測定値を備え得る。いくつかの実装形態では、モバイルデバイス１０２が屋内にある場合、環境報告１０６は、屋内環境と屋外環境との間の空気圧差（an air pressure difference）および／または温度差を含み得る。
【００５８】
[0061]いくつかの例示的な実装形態では、例示的なブロック３０４で、モバイルデバイス１０２は、特定の環境に対応するユーザ供給観測にさらに少なくとも一部基づいて、環境報告１０６を生成することができる。ここでは、たとえば、モバイルデバイス１０２の装置１０４および／または測位機能などは、プロセスによって、（たとえば、ディスプレイデバイス、スピーカなど）１つもしくは複数の出力ユニットを介して、（たとえば、タッチスクリーンデバイス、キーボード、マイクロフォンなど）１つもしくは複数の入力ユニットを介して特定の環境１０８に関する情報を入力するようにユーザ（たとえば、人間）が催促され得るそのプロセスを開始することができる。したがって、たとえば、いくつかの事例では、ユーザは、屋内環境または屋外環境であるなど、特定の環境１０８を識別するように催促され得る。別の例では、場合によっては、ユーザは、ある気象関係の（および／もしくは他の）現象が、特定の環境１０８内のそれの現在のロケーションでまたはその付近で発生しているとして、あるいは最近発生したとして、観測され得るかどうかを識別するように催促され得る。ここでは、たとえば、ユーザは、たとえば、晴天、曇り空、雷、竜巻、雨、雹、雪、道路状態、洪水、落雷など、ある観測可能な条件の存在または不在を識別するように催促され得る。
【００５９】
[0062]ブロック３０４における環境の報告１０６の編集に続いて、モバイルデバイス１０２は、例示的なブロック３０６で、遠隔デバイス１１０が（たとえば、直接的にまたはネットワーク１２０を介して）通信のためにアクセス可能であり、現在の時間において環境の報告を受信することを要求したか、あるいは受信する必要があるかどうかを判断することができる。環境の報告の要求は、何らかの前の時間に、もしくは現在の時間に、遠隔デバイス１１０からモバイルデバイス１０２によって受信されている可能性があり、モバイルデバイス１０２が遠隔デバイス１１０に環境の報告１０６を送信すべき１つもしくは複数の時間、または、モバイルデバイス１０２が遠隔デバイス１１０に環境の報告１０６を送信すべきであるときの、他の複数の条件を指定している可能性がある。環境の報告１０６を送信するための条件は、（ｉ）特定の環境条件または条件のセット（たとえば、ある範囲の温度もしくは大気圧）の発生あるいは持続性（persistence）、（ｉｉ）環境条件に対するある種の変化（たとえば、温度または大気圧の何らかの上昇もしくは低下）、（ｉｉｉ）環境のタイプの変化（たとえば、屋外から屋内環境へのモバイルデバイス１０２の移動、またはその逆）、（ｉｖ）モバイルデバイス１０２に関する特定のロケーションの発生または持続性、（ｖ）モバイルデバイス１０２のロケーションのある種の変化（たとえば、前の環境の報告１０６がモバイルデバイス１０２によって遠隔デバイス１１０に送信されたロケーションからのある距離のモバイルデバイスの移動）、（ｖｉ）前の環境の報告１０６がモバイルデバイス１０２によって遠隔デバイス１１０に送信された時間に続くある時間期間の発生、あるいは（ｖｉｉ）他の条件を含み得る。いくつかの他の実装形態では、モバイルデバイス１０２は、環境の報告１０６を送信するための要求を遠隔デバイス１１０から受信していない可能性があるが、ある時間に、またはある条件下で、遠隔デバイス１１０に環境の報告１０６を送信するように他の手段によって（たとえば、製造会社において、または遠隔デバイス１１０以外の何らかのデバイスによって）設定されている可能性がある。
【００６０】
[0063]ブロック３０６における判断の出力が「はい」である場合、例示的なブロック３０８で、モバイルデバイス１０２は、電子デバイス１１０（たとえば、遠隔デバイス）に環境報告１０６を直接的にまたは間接的に送信することができる。この送信は、１つもしくは複数のＳＵＰＬメッセージおよび／または１つもしくは複数のＬＰＰ／ＬＰＰｅ測位メッセージなど、環境の報告１０６を備える１つもしくは複数のメッセージをモバイルデバイス１０２から遠隔デバイス１１０に送ることを含み得る。ブロック３０８に続いて、遠隔デバイス１１０がモバイルデバイス１０２からさらなる環境の報告１０６を必要とし得る場合、モバイルデバイス１０２は、しばらく後に、ブロック３０２を繰り返すことができる。
【００６１】
[0064]ブロック３０６における判断の出力が「いいえ」である場合、次には、例示的なブロック３１０で、モバイルデバイス１０２は、現在の日付、および遠隔デバイス１１０に後に送信するための時間とともに、環境の報告１０６を記憶することができ、遠隔デバイス１１０がモバイルデバイス１０２からさらなる環境の報告１０６を必要とし得る場合、しばらく後にブロック３０２に戻ることができる。（プロセス３００に示さない）いくつかの実装形態では、遠隔デバイス１１０によってさらなる環境の報告１０６が必要とされない可能性があるが、しかし、モバイルデバイス１０２が、しばらく後に、たとえば、当初アクセス可能でなかった遠隔デバイス１１０が後の時間に通信のためにアクセス可能になるときに、記憶された環境の報告を遠隔デバイス１１０に送信する必要があり得る場合、モバイルデバイス１０２は、何らかの後の時点で、ブロック３１０からブロック３０６に進むことができる。
【００６２】
[0065]次に、この例では、たとえば、電子デバイス１１０（たとえば、遠隔デバイス）によって少なくとも一部実行される、１つまたは複数のクラウドソーシング機能によって考慮するためであり得る環境報告１０６を生成するために、モバイルデバイス１０２内で少なくとも一部実装され得る例示的なプロセス４００を示すフロー図である図４に注目する。
【００６３】
[0066]例示的なブロック４０２で、モバイルデバイス１０２は、複数のモバイルデバイス１０３から受信された、特定の環境１０８に対応するか、あるいは環境１０８が一例である複数の環境に対応する複数の環境報告を使用して、電子デバイス１１０によって少なくとも一部実行され得るクラウドソーシング機能に参加するための勧誘を電子デバイス１１０から（たとえば、１つもしくは複数のＳＵＰＬメッセージおよび／または１つもしくは複数のＬＰＰ／ＬＰＰｅメッセージを介して）受信することができる。ここでは、たとえば、そのような勧誘は、モバイルデバイス１０２からの環境報告１０６に関する要求を示すことが可能である。
【００６４】
[0067]例示的なブロック４０６で、モバイルデバイス１０２は、環境センサーを介して取得された測定値に少なくとも一部基づいて、環境報告１０６を生成することができる。例として、いくつかの事例では、例示的なブロック４０６は、図３の例示的なブロック３０２、３０４、３０６および／もしくは３１０と同じでまたは類似であり得る。
【００６５】
[0068]例示的なブロック４１０で、いくつかの事例では、モバイルデバイス１０２は、特定の環境１０８に対応するユーザ供給観測にさらに少なくとも一部基づいて、環境報告１０６を生成することができる。例示的なブロック４１２で、モバイルデバイス１０２は、電子デバイス１１０に環境報告１０６を送信することができる。例として、いくつかの事例では、例示的なブロック４１２は、図３の例示的なブロック３０８と同じまたは類似であり得る。
【００６６】
[0069]次に、基準データ報告１１４をモバイルデバイス１０２に提供するために、電子デバイス１１０内で少なくとも一部実装され得る例示的なプロセス５００を示すフロー図である図５を参照する。
【００６７】
[0070]例示的なブロック５０２で、電子デバイス１１０は、特定の環境１０８の基準高度に対応する基準大気圧を少なくとも示す基準データ報告１１４を生成することができる。前述のように、場合によっては、基準データ報告１１４は、たとえば、その基準大気圧に対応する圧力有効領域、その基準大気圧に対応する圧力有効期間など、そのような基準大気圧に関するある種の条件付きの様相（conditional aspects）をさらに示すことができる。例として、いくつかの実装形態では、電子デバイス１１０は、特定の環境１０８または環境１０８の特定のセットに対応する、かつ／あるいは特定の環境１０８または環境１０８の特定のセットに関して使用するように適合された（たとえば、大気モデル、気象予想／予測モデルなど）１つもしくは複数のコンピュータベースのモデルに少なくとも一部基づいて、基準大気圧を判断することができる。したがって、いくつかの例示的な実装形態では、電子デバイス１１０は、たとえば、場合によっては、１つもしくは複数の専用デバイス／センサー、１つもしくは複数の他の電子デバイス、１つもしくは複数の移動局、１つもしくは複数の環境報告、全国もしくは地域の気象サービスまたは気象庁から取得された、１つもしくは複数の予想／予測された気圧推定値、および／または、場合によっては、１つもしくは複数の最近のおよび／または現在の気圧測定値に少なくとも一部基づいて、基準大気圧を判断することができる。いくつかの事例では、基準大気圧は、特定の単位（たとえば、ｈＰａ）で測定されることが可能であり、たとえば、世界測地系１９８４（ＷＧＳ８４：World Geodetic System 1984）基準または他の類似のジオイド（geoid）でゼロレベルなど、基準高度に対応し得る。
【００６８】
[0071]例示的なブロック５０４で、いくつかの事例では、電子デバイス１１０は、モバイルデバイス１０２から基準データ報告１１４に対する要求を受信することができる。ここでは、たとえば、そのような要求は、環境センサーと、基準データ報告１１４の少なくとも一部とを使用して、モバイルデバイスによって少なくとも一部実行される測位機能に対応し得る。いくつかの他の実装形態では、電子デバイス１１０は、（たとえば、基準データ報告１１４に関連する環境センサーの所有による）基準データ報告１１４を使用するための能力を示す、何らかの他の表示（indication）（たとえば、測位能力のセット）をモバイルデバイス１０２から受信することができる。いくつかの実装形態では、基準データ報告１１４、または基準データ報告１１４が使用され得る表示、に対する要求は、ＳＵＰＬメッセージ内および／またはＬＰＰ／ＬＰＰｅ測位メッセージ内で電子デバイス１１０によって受信され得る。
【００６９】
[0072]特許請求される主題は、本明細書で提示される例示的なフロー図において例示され得る任意の特定の時間的もしくは他の類似の順序または構造によって限定されることが意図されるとは限らないことに留意されたい。実際、種々の異なるプロセスフローが実装されることが可能であり、異なる順序が生じ、ある種の動作が同時に発生してよく、ある種の動作が省略されてよく、ある種の動作が反復的に実行されてよい、等々である。したがって、例として、プロセス５００で、場合によっては（それの点線によって、この例においてさえオプションであり得ることを示す）例示的なブロック５０４は、例示的なブロック５０２に先立って発生し得る。同様に、場合によっては、例示的なブロック５０８および／または５１０は、例示的なブロック５０２の通り、現在のまたは後の動作に影響を及ぼす可能性のある何らかの方法で実装され得る。ここでは、たとえば、例示的なブロック５０２で、基準データ報告を生成する際に、電子デバイス１１０は、例示的なブロック５０８に類似した、１つもしくは複数のモバイルデバイスから受信された利用可能な環境報告および／または例示的なブロック５１０に類似した利用可能な環境報告によって影響を受けるモデルを利用することができる。
【００７０】
[0073]例示的なブロック５０６で、電子デバイス１１０は、（たとえば、１つもしくは複数のＳＵＰＬメッセージおよび／または１つもしくは複数のＬＰＰ／ＬＰＰｅ測位プロトコルメッセージなど、１つもしくは複数のメッセージを介して）１つもしくは複数のモバイルデバイスに基準データ報告１１４のすべてもしくは一部を直接的にかつ／または間接的に送信することができる。いくつかの例示的な実装形態では、基準データ報告１１４のすべてまたは一部は、いくつかの例を挙げれば、（例示的なブロック５０４にあるように）モバイルデバイスからの基準データ報告１１４に対する特定の要求に応答して、かつ／あるいは、場合によっては、モバイルデバイス内の測位機能などに対して少なくとも一部使用され得る他の形の支援データと関係なく、またはそのような支援データとともに、クラウドソーシング機能に参加するための勧誘の一部として提供され得る。
【００７１】
[0074]例示的なブロック５０８で、電子デバイス１１０は、少なくとも１つのモバイルデバイス１０２から環境報告１０６を受信することができる。ここでは、たとえば、そのような環境報告１０６は、モバイルデバイスに供給された環境センサー（たとえば、ブロック５０４で言及された環境センサーまたは何らかの他の環境センサー）を介して取得された測定値に少なくとも一部基づき得る。そのような環境の報告は、プロセス３００のブロック３０８またはプロセス４００のブロック４１２でモバイルデバイス１０２によって遠隔デバイス１１０に送信される環境の報告に対応し得、たとえば、複数の現在の環境測定値、複数の履歴環境測定値および関連するタイムスタンプ、モバイルデバイス１０２に関する水平ロケーションおよび高度、ならびに／またはそのような水平ロケーションおよび高度が導出され得る局所的測定値を備え得る。
【００７２】
[0075]例示的なブロック５１０で、電子デバイス１１０は、たとえば、少なくとも１つのモバイルデバイス１０２から取得された、少なくとも１つの環境報告１０６の少なくとも一部に少なくとも一部基づいて、特定の環境１０８または環境１０８の特定のセットの少なくとも一部に対応するモデルに影響を及ぼし得る。環境の報告１０６がモバイルデバイス１０２からの少なくとも現在の局所大気圧測定値を含むとき、電子デバイス１１０は、モバイルデバイス１０２から受信された環境の報告１０６を参照して、例示的なブロック５１０で、以下の動作のうちの１つまたは複数を実行することができる。
【００７３】
Ａ．環境の報告１０６が、モバイルデバイス１０２が屋内にあることを示さず、モバイルデバイス１０２に関する水平ロケーションと高度とが含まれている場合、モバイルデバイス１０２のそのロケーションおよび高度における現在の局所大気圧として、含まれた圧力測定値を使用して、これをモバイルデバイス１０２における、またはその近くの、ロケーションに関する（たとえば、他のモバイルデバイスから受信された）他のそのような情報と組み合わせる。
【００７４】
Ｂ．環境の報告１０６が、モバイルデバイス１０２が屋内にあることを示さず、モバイルデバイス１０２の水平ロケーションは含まれるが、高度は含まれない場合、その水平ロケーションおよび地形図または等高線図を使用して、モバイルデバイスの高度を判断する。次いで、モバイルデバイス１０２のロケーションおよび高度における現在の局所大気圧として、含まれた圧力測定値を使用して、これをモバイルデバイス１０２における、またはその近くの、ロケーションに関する（たとえば、他のモバイルデバイスから受信された）他のそのような情報と組み合わせる。
【００７５】
Ｃ．環境の報告１０６が、モバイルデバイス１０２が屋内にあり得ることを示し、モバイルデバイス１０２に関する水平ロケーションと地表レベルに対する相対高度とが含まれる場合（この場合、モバイルデバイス１０２が地表レベルにある場合、相対高度はゼロであり得る）、その水平ロケーションと、地形図または等高線図と、その相対高度とを使用して、モバイルデバイスの高度を判断する。次いで、モバイルデバイス１０２のロケーションおよび高度における現在の局所大気圧として、含まれた圧力測定値を使用して、これをモバイルデバイス１０２における、またはその近くの、ロケーションに関する（たとえば、他のモバイルデバイスから受信された）他のそのような情報と組み合わせる。環境の報告１０６がモバイルデバイス１０２の屋内環境と屋外環境との間の圧力差をさらに含む場合、これを他の情報と組み合わせる前に、環境の報告１０６内の局所大気圧を（同じロケーションに関する）屋外環境内で有効な大気圧に対して調整するために、この圧力差をさらに使用する、
Ｄ．環境の報告１０６が、モバイルデバイス１０２が屋内にあり得ることを示し、モバイルデバイス１０２に関する水平ロケーションと高度とが含まれている場合、モバイルデバイス１０２のそのロケーションおよび高度における現在の局所大気圧として、含まれた圧力値を使用して、これをモバイルデバイス１０２における、またはモバイルデバイス１０２の近くの、ロケーションに関する（たとえば、他のモバイルデバイスから受信された）他のそのような情報と組み合わせる。環境の報告１０６がモバイルデバイス１０２の屋内環境と屋外環境との間の圧力差をさらに含む場合、これを他の情報と組み合わせる前に、環境報告１０６内の局所大気圧を（同じロケーションに関する）屋外環境内で有効な大気圧に対して調整するために、この圧力差をさらに使用する。
【００７６】
[0076]動作Ａ、Ｂ、Ｃ、および／またはＤは、基準データ報告１１４の一部（たとえば、環境の報告１０６内で参照される、モバイルデバイス１０２のロケーションにおけるもしくはその近くのロケーションに対応する部分）を作成するために、または既存の基準データ報告１１４の一部を調整する（たとえば、その精度および有効性を改善する）ために、電子デバイス１１０によって用いられることが可能である。作成または更新された基準データ報告１１４は、ブロック５０８および５１０のさらなる反復によって、さらに受信された環境の報告１０６に従ってさらに更新されることが可能であり、ブロック５０６のさらなる反復によって、さらなるモバイルデバイスに送信されることも可能である。
【００７７】
[0077]次に、電子デバイス１１０内で少なくとも一部実装され得る例示的なプロセス６００を示すフロー図である図６に注目する。ここでは、たとえば、電子デバイス１１０は、モバイルデバイスから環境報告を収集することができる、１つもしくは複数のクラウドソーシング機能の少なくとも一部を実行、あるいはサポートするように構成され得る。
【００７８】
[0078]例示的なブロック６０２で、電子デバイス１１０は、たとえば、特定の環境１０８の基準高度に対応する基準大気圧を示しているとして前に説明した、基準データ報告１１４を生成することができる。いくつかの例示的な実装形態では、そのような基準データ報告１１４は、その基準大気圧に対応する圧力有効領域、その基準大気圧に対応する圧力有効期間、その圧力有効領域の内部および／または外部の空間的圧力勾配（a spatial pressure gradient）、その圧力有効期間の内部および／または外部の時間的勾配（a temporal gradient）などをさらに示すことが可能である。
【００７９】
[0079]例示的なブロック６０４で、電子デバイス１１０は、１つもしくは複数の勧誘（invitations）を１つもしくは複数のモバイルデバイス１０２に直接的および／または間接的に送信することができる。そのような勧誘は、たとえば、クラウドソーシング機能に対応する、１つまたは複数の適用可能な環境報告１０６を要求することができる。例として、いくつかの事例では、勧誘は、環境報告１０６がモバイルデバイスによって収集された現在の情報および／または履歴情報を含むべきであることを示すことが可能である。いくつかの事例では、例示的なブロック６０６で、勧誘と関係なく、かつ／または勧誘とともに、電子デバイス１１０は、少なくとも１つのモバイルデバイス１０２に基準データ報告１１４を送信することができる。
【００８０】
[0080]例示的なブロック６０８で、電子デバイス１１０は、少なくとも１つのモバイルデバイス１０２から環境報告１０６を受信することができる。例示的なブロック６０８は、たとえば、図５の例示的なブロック５０８と同じまたは類似であり得る。例示的なブロック６１０で、電子デバイス１１０は、たとえば、少なくとも１つのモバイルデバイスから取得された少なくとも１つの環境報告の少なくとも一部に少なくとも一部基づいて、特定の環境１０８または環境１０８の特定のセットの少なくとも一部に対応するモデルに影響を及ぼし得る。例示的なブロック６１０は、たとえば、図５の例示的なブロック５１０と同じまたは類似であり得る。
【００８１】
[0081]図２〜図８で示された例示的なプロセスは、図１のモバイルデバイス１０２およびモバイルデバイス１０３など、モバイルデバイスによって、またはその代わりに、（相対的もしくは絶対的な）高度の正確なかつ信頼性が高い判断を可能にし得る。図２のプロセス２００は、モバイルデバイス１０２が遠隔デバイス１１０からの基準データ報告１１４の受信に少なくとも一部基づいて、それの高度を判断するのを可能にし得る。あるいは、プロセス２００に示されるように、モバイルデバイス１０２が他の手段（たとえば、Ａ−ＧＮＳＳ、地形図もしくは等高線図の使用）によってそれの高度を判断することが可能である場合、モバイルデバイス１０２は、次いで、環境報告１０６の今後の生成の際に、および／もしくは今後の高度の判断の際に使用する目的で、より正確なかつ信頼性が高い測定値を取得するために後で使用され得る環境センサーを較正または再較正するために基準データ報告１１４を使用することができる。図３のプロセス３００および図４のプロセス４００は、モバイルデバイス１０２が局所的な環境１０８に関する、１つまたは複数のセンサー測定値を備える環境報告１０６を生成して、遠隔デバイス１１４に送るのを可能にし得る。図５のプロセス５００および図６のプロセス６００は、遠隔デバイス１１０が、モバイルデバイス１０２から、かつ／またはモバイルデバイス１０３から前に受信された環境報告１０６内で遠隔デバイス１１０によって受信されたデータに少なくとも一部基づき得る基準データ報告１１４を生成するのを可能にし得る。基準データ報告１１４は、次いで、それの高度を判断するか、またはセンサーを較正するためにモバイルデバイス１０２によって使用され得る。プロセス２００、３００、４００、５００、６００、７００、および８００の組合せは、他の既存の方法が使用可能でないか、または失敗したとき、モバイルデバイスの高度を取得するための手段を提供し得ることを諒解されよう。プロセス２００、３００、４００、５００、６００、７００、および８００の組合せはまた、全国もしくは地域の気象サービスまたは気象局など、環境データの他のソースにほとんどあるいはまったく依存せずに持続可能であり得る。実際、モバイルワイヤレスオペレータは、全国および地域の気象サービス局によって提供されるような、環境データの外部ソースに加入する必要なしに、それの加入者、および、場合によっては、他のネットワークに対する加入者のためにロケーションサービスを拡張する目的で、これらの例示的なプロセスのうちのいくつかまたはすべてを使用することができる。
【００８２】
[0082]次に、モバイルデバイス１０２内で少なくとも一部実装され得る例示的なプロセス７００を示すフロー図である図７に注目する。いくつかの例示的な実装形態では、プロセス７００は、モバイルデバイスの高度を判断するために実装され得る。
【００８３】
[0083]例示的なブロック７０２で、モバイルデバイスに供給された環境センサーを介して取得された第１の測定値とモバイルデバイスのロケーションとを示すことが可能な環境報告が生成され得る。例として、いくつかの事例では、環境センサーは気圧計を備え得る。したがって、たとえば、いくつかの事例では、第１の測定は、局所大気圧に少なくとも一部基づき得る。
【００８４】
[0084]いくつかの例示的な実装形態では、モバイルデバイスに関するロケーションは、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサーなどのうちの少なくとも１つ、またはそれらの何らかの組合せを使用して少なくとも一部判断され得る。いくつかの例示的な実装形態では、モバイルデバイスのロケーションは、高度成分、相対的な高度成分など、またはそれらの何らかの組合せを備え得る。いくつかの例示的な実装形態では、高度成分は、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、地形図または等高線図など使用して少なくとも一部判断され得る。
【００８５】
[0085]例示的なブロック７０４で、例として、遠隔デバイス、たとえば、電子デバイス１１０に環境報告が送信され得る。
【００８６】
[0086]いくつかの実装形態では、環境報告は、モバイルデバイスの水平位置、モバイルデバイスに関する水平位置履歴、モバイルデバイスの移動、モバイルデバイスに関する移動履歴、モバイルデバイスの高度、モバイルデバイスに関する高度履歴、モバイルデバイスの相対高度、モバイルデバイスに関する相対高度履歴、局所大気圧、大気圧履歴、局所大気温度、大気温度履歴、局所大気湿度、大気湿度履歴など、またはそれらの何らかの組合せを示すことが可能である。いくつかの実装形態では、環境報告は、屋内環境の表示、屋外環境の表示、屋内と屋外環境との間の大気圧差など、またはそれらの何らかの組合せを備え得る。
【００８７】
[0087]例示的なブロック７０６で、異なる時点で（たとえば、後で）、遠隔デバイスから基準データ報告が受信され得る。場合によっては、基準データ報告は、たとえば、ブロック７０４で送信された環境報告に少なくも一部基づき得る。
【００８８】
[0088]例示的なブロック７０８で、環境センサーを使用して、第２の測定値が取得され得、例示的なブロック７１０で、基準データ報告と第２の測定値とに少なくとも一部基づいて、モバイルデバイスに関する高度および／またはモバイルデバイスに関する較正パラメータのうちの少なくとも１つが判断され得る。
【００８９】
[0089]次に、電子デバイス１１０内で少なくとも一部実装され得、かつモバイルデバイス１０２内で実装され得るプロセス７００に対応し得る、例示的なプロセス８００を示すフロー図である図８に注目する。
【００９０】
[0090]例示的なブロック８０２において、モバイルデバイス１０２から環境報告が受信され得る。ここでは、たとえば、環境報告は、モバイルデバイスに供給された環境センサーを介して取得された測定値とモバイルデバイスのロケーションとを示すことが可能である。例示的なブロック８０４で、基準データ報告は、環境報告に少なくも一部基づいて生成され得る。ここでは、たとえば、基準データ報告は、モバイルデバイスのロケーションに対応する特定の環境の基準高度に対応する基準大気圧を示すことが可能である。例示的なブロック８０６で、モバイルデバイスに基準データ報告が送信され得る。
【００９１】
[0091]次に、電子デバイス１１０、および／またはそれの内に供給された装置１１２の一部として提供され得る例示的な専用コンピューティングプラットフォーム９００のある種の特徴を示す概略ブロック図である図９に注目する。
【００９２】
[0092]図示されるように、専用コンピューティングプラットローム９００として、１つまたは複数の接続９０６（たとえば、１つまたは複数の電気導体、１つまたは複数の導電性経路、１つまたは複数のバス、１つまたは複数の光ファイバ経路、１つまたは複数の回路、１つまたは複数のバッファ、１つまたは複数の送信機、１つまたは複数の受信機など）を介してメモリ９０４に結合された１つまたは複数の処理ユニット９０２（たとえば、本明細書で提供される技法に従ってデータ処理を実行するための、装置１１２）を備え得る。処理ユニット９０２は、たとえば、ハードウェアで、またはハードウェアとソフトウェアとの組合せで実装され得る。処理ユニット９０２は、データコンピューティング手順またはプロセスの少なくとも一部分を実行するように構成可能な１つもしくは複数の回路を表し得る。限定ではなく、例として、処理ユニットは、１つもしくは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００９３】
[0093]メモリ９０４は任意のデータ記憶機構を表し得る。たとえば、メモリ９０４は、１次メモリ９０４−１および／または２次メモリ９０４−２を含み得る。たとえば、１次メモリ９０４−１は、ランダムアクセスメモリ、読取り専用メモリなどを備え得る。この例では処理ユニットとは別個のものとして示されているが、１次メモリの全部または一部は、処理ユニット９０２または電子デバイス１１０内の他の同様の回路内に設けられるか、あるいはさもなければそのような回路と共設／結合され得ることを理解されたい。２次メモリ９０４−２は、たとえば、１次メモリと同じもしくは同様のタイプのメモリ、および／または、たとえば、ディスクドライブ、光ディスクドライブ、テープドライブ、固体運動状態メモリドライブ（a solid motion state memory drive）など、１つもしくは複数のデータ記憶デバイスまたはシステムを備え得る。
【００９４】
[0094]いくつかの実装形態では、２次メモリは、非ブレンド型（non-blended）コンピュータ可読媒体９２０を動作可能に受容するか、あるいはそれに結合するように構成され得る。メモリ９０４および／または非ブレンド型コンピュータ可読媒体９２０は、たとえば、本明細書で提供されるような適用可能技法に従って、データ処理を実行する際に使用するための命令９２２を備え得る。
【００９５】
[0095]専用コンピューティングプラットフォーム９００は、たとえば、１つまたは複数のネットワークインターフェースユニット９０８をさらに備え得る。ネットワークインターフェースユニット９０８は、たとえば、１つもしくは複数の受信機９１０と１つもしくは複数の送信機９１２とによって表される、１つもしくは複数のワイヤードおよび／またはワイヤレス通信インターフェースを備え得る。いくつかの実装形態では、通信インターフェース９０８は、１つまたは複数のトランシーバなどを備え得ることを理解されたい。さらに、図示されないが、通信インターフェース９０８は、通信インターフェース機能／能力を前提として、適用可能であり得るような、１つもしくは複数のアンテナおよび／または他の回路を備え得ることを理解されたい。
【００９６】
[0096]いくつかの例示的な実装形態によれば、たとえば、ネットワークインターフェースユニット９０８は、たとえば、電話システム、ローカルエリアネットワーク、広域ネットワーク、パーソナルエリアネットワーク、イントラネット、インターネットなど、様々なワイヤード通信ネットワークとともに使用するために可能にされ得る。
【００９７】
[0097]いくつかの例示的な実装形態によれば、ネットワークインターフェースユニット９０８および／または９０８（図９参照）は、たとえば、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）などの様々なワイヤレス通信ネットワークとともに使用するために可能にされ得る。「ネットワーク」および「システム」という用語は、本明細書では互換的に使用され得る。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどであり得る。ＣＤＭＡネットワークは、いくつかの無線技術を挙げると、ｃｄｍａ２０００、広帯域ＣＤＭＡ（ＷＣＤＭＡ（登録商標））、時分割同期符号分割多元接続（ＴＤ−ＳＣＤＭＡ）など、１つまたは複数の無線アクセス技術（ＲＡＴ）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（ＧＳＭ（登録商標）：Global System for Mobile Communications）、デジタルアドバンストモバイルフォンシステム（Ｄ−ＡＭＢＳ：Digital Advanced Mobile Phone System能力）、または何らかの他のＲＡＴを実装し得る。ＧＳＭおよびＷＣＤＭＡは、「第３世代パートナーシッププロジェクト」（３ＧＰＰ）という名称の組織からの文書に記載されている。Ｃｄｍａ２０００は、「第３世代パートナーシッププロジェクト２」（３ＧＰＰ２）と称する団体からの文書に記載されている。３ＧＰＰおよび３ＧＰＰ２の文書は公開されている。たとえば、ＷＬＡＮは、ＩＥＥＥ８０２．１１ｘネットワークを含み得、ＷＰＡＮは、Ｂｌｕｅｔｏｏｔｈ（登録商標）ネットワーク、ＩＥＥＥ８０２．１５ｘを含み得る。ワイヤレス通信ネットワークは、たとえば、ロングタームエボリューション（ＬＴＥ）、ＬＴＥアドバンスト、ＷｉＭＡＸ（登録商標）、ウルトラモバイルブロードバンド（ＵＭＢ：Ultra Mobile Broadband）など、いわゆる次世代技術（たとえば、「４Ｇ」）を含み得る。さらに、通信インターフェース９０８は、１つまたは複数の他のデバイスとの赤外線ベース通信をさらに提供し得る。ＷＬＡＮは、たとえば、ＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明されたワイヤレス通信実装形態はまた、ＷＷＡＮ、ＷＬＡＮまたはＷＰＡＮの任意の組合せとともに使用され得る。
【００９８】
[0098]電子デバイス１１０は、たとえば、１つまたは複数の入出力ユニット９１４をさらに備え得る。入出力ユニット９１４は、１つもしくは複数の他のデバイスおよび／またはユーザから入力を取得し、かつ／あるいは１つもしくは複数の他のデバイスおよび／またはユーザに出力を与えるために使用され得る、１つもしくは複数のデバイスまたは他の同様の機構を表し得る。したがって、たとえば、入出力ユニット９１４は、１つまたは複数のユーザ入力を受信するために使用され得る、様々なボタン、スイッチ、タッチパッド、トラックボール、ジョイスティック、タッチスクリーン、キーボードなどを備え得る。いくつかの事例では、入出力ユニット９１４は、ユーザのための視覚出力（a visual output）、可聴出力（an audible output）、および／または触覚出力（a tactile output）を生成する際に使用され得る様々なデバイスを備え得る。たとえば、入出力ユニット９１４は、ディスプレイ機構上で、ビデオディスプレイ、グラフィカルユーザインターフェースなどを提示するために使用され得る。
【００９９】
[0099]次に、モバイルデバイス１０２の一部および／または複数のモバイルデバイス１０３のうちのいくつかもしくはすべて、ならびに／あるいはその内に供給された装置１０４、として提供され得る例示的な専用コンピューティングプラットフォーム１０００のある種の特徴を示す概略ブロック図である図１０に注目する。
【０１００】
[00100]図示されるように、専用コンピューティングプラットローム１０００は、１つまたは複数の接続１００６（たとえば、１つまたは複数の電気導体、１つまたは複数の導電性経路、１つまたは複数のバス、１つまたは複数の光ファイバ経路、１つまたは複数の回路、１つまたは複数のバッファ、１つまたは複数の送信機、１つまたは複数の受信機など）を介してメモリ１００４に結合された１つまたは複数の処理ユニット１００２（たとえば、本明細書で提供される技法に従ってデータ処理を実行するための、装置１０４）を備え得る。処理ユニット１００２は、たとえば、ハードウェアで、またはハードウェアとソフトウェアとの組合せで実装され得る。処理ユニット１００２は、データコンピューティング手順またはプロセスの少なくとも一部分を実行するように構成可能な１つまたは複数の回路を表し得る。限定ではなく、例として、処理ユニットは、１つもしくは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【０１０１】
[00101]メモリ１００４は任意のデータ記憶機構を表し得る。たとえば、メモリ１００４は、１次メモリ１００４−１および／または２次メモリ１００４−２を含み得る。たとえば、１次メモリ１００４−１は、ランダムアクセスメモリ、読取り専用メモリなどを備え得る。この例では処理ユニットとは別個なものとして示されるが、１次メモリのすべてまたは一部は、処理ユニット１００２またはモバイルデバイス１０２内の他の同様の回路内に設けられてよく、または場合によっては、それらと共設／結合されてよいことを理解されたい。２次メモリ１００４−２は、たとえば、１次メモリと同じもしくは同様のタイプのメモリ、および／または、たとえば、ディスクドライブ、光ディスクドライブ、テープドライブ、固体運動状態メモリドライブなど、１つもしくは複数のデータ記憶デバイスまたはシステムを備え得る。
【０１０２】
[00102]いくつかの実装形態では、２次メモリは、非ブレンド型コンピュータ可読媒体１０２０を動作可能に受容するか、あるいはそれに結合するように構成され得る。メモリ１００４および／または非ブレンド型コンピュータ可読媒体１０２０は、たとえば、本明細書で提供されるような適用可能技法に従って、データ処理を実行する際に使用するための命令１０２２を備え得る。
【０１０３】
[00103]専用コンピューティングプラットフォーム１０００は、たとえば、１つまたは複数のネットワークインターフェースユニット１００８をさらに備え得る。ネットワークインターフェースユニット１００８は、たとえば、１つもしくは複数の受信機１０１０と１つもしくは複数の送信機１０１２とによって表される、１つもしくは複数のワイヤードおよび／またはワイヤレス通信インターフェースを備え得る。いくつかの実装形態では、ネットワークインターフェースユニット１００８は、１つまたは複数のトランシーバなどを備え得ることを理解されたい。さらに、図示されないが、ネットワークインターフェースユニット１００８は、通信インターフェース機能／能力を前提として適用可能であるような、１つもしくは複数のアンテナおよび／または他の回路を備え得ることを理解されたい。
【０１０４】
[00104]いくつかの例示的な実装形態によれば、たとえば、ネットワークインターフェースユニット１００８は、たとえば、電話システム、ローカルエリアネットワーク、広域ネットワーク、パーソナルエリアネットワーク、イントラネット、インターネットなど、様々なワイヤード通信ネットワークとともに使用するために可能にされ得る。
【０１０５】
[00105]モバイルデバイス１０２および／またはモバイルデバイス１０３は、たとえば、１つまたは複数の入出力ユニット１０１４をさらに備え得る。入出力ユニット１０１４は、１つもしくは複数の他のデバイスおよび／またはユーザから入力を取得し、かつ／あるいは１つもしくは複数の他のデバイスおよび／またはユーザに出力を与えるために使用され得る、１つもしくは複数のデバイスまたは他の同様の機構を表し得る。したがって、たとえば、入出力ユニット１０１４は、１つまたは複数のユーザ入力を受信するために使用され得る様々なボタン、スイッチ、タッチパッド、トラックボール、ジョイスティック、タッチスクリーン、キーボード、マイクロフォン、カメラなどを備え得る。いくつかの事例では、入出力ユニット１０１４は、ユーザのための視覚出力、可聴出力、および／または触覚出力を生成する際に使用され得る様々なデバイスを備え得る。たとえば、入出力ユニット１０１４は、ディスプレイ機構および／もしくはオーディオ機構を介して、ビデオディスプレイ、グラフィカルユーザインターフェース、測位ならびに／またはナビゲーション関係の情報、電子地図の視覚的表現、ルーティング方向などを提示するために使用され得る。
【０１０６】
[00106]モバイルデバイス１０２、および／またはモバイルデバイス１０３は、たとえば、１つまたは複数のセンサー１０１６を備え得る。たとえば、センサー１０１６は、特定の環境１０８で発生し得る、ある種の大気現象または他の類似の現象を測定する際に有用であり得る、１つもしくは複数の環境センサーを表し得る。たとえば、センサー１０１６は、特定の環境１０８および／またはモバイルデバイス１０２のそこでの移動のある種の様相（aspect）を検出する際に有用であり得る、１つもしくは複数の慣性センサーあるいは環境センサーを表すことが可能である。したがって、たとえば、センサー１０１６は、１つもしくは複数の加速度計、１つもしくは複数のジャイロスコープまたはジャイロメータ、１つもしくは複数の磁力計など、１つもしくは複数の気圧計、１つもしくは複数の温度計、１つもしくは複数の粒子検出器、１つもしくは複数の湿度計、１つもしくは複数の光センサーなどを備え得る。さらに、いくつかの事例では、センサー１０１６は、マイクロフォン、カメラなど、１つまたは複数の入力デバイスを備えることが可能であり、かつ／またはそれらの形をとり得る。
【０１０７】
[00107]ＳＰＳ受信機１０１８は、１つまたは複数のアンテナ（図示せず）を介してワイヤレス信号１３４を獲得および獲得することが可能であり得る。ＳＰＳ受信機１０１８はまた、モバイルデバイス１０２の位置および／または動きを推定するために獲得されたワイヤレス信号１３４を全体的にもしくは部分的に処理し得る。いくつかの事例では、ＳＰＳ受信機１０１８は、獲得されたＳＰＳ信号を全体的にもしくは部分的に処理するために、および／またはモバイルデバイス１０２の推定されたロケーションを計算するために利用されることも可能な、１つもしくは複数の処理ユニット（図示せず）、たとえば、１つもしくは複数の汎用プロセッサ、１つもしくは複数のデジタル信号プロセッサＤＳＰ、１つもしくは複数の専用プロセッサを備え得る。いくつかの実装形態では、獲得されたＳＰＳ信号のそのような処理のすべてまたは一部は、ＳＰＳ受信機１０１８と連携して、たとえば、処理ユニット１００２、メモリ１００４など、モバイルデバイス１０２内の他の処理能力によって実行され得る。ＳＰＳまたは測位動作を実行する際に使用するための他の信号の記憶（storage）は、メモリ１００４またはレジスタ（図示せず）内で実行され得る。
【０１０８】
[00108]いくつかの事例では、センサー１０１６は、メモリ１００４中に記憶され、１つもしくは複数の測位機能に少なくとも一部基づいて、たとえば、測位またはナビゲーション動作を対象とするアプリケーションなどの１つもしくは複数のアプリケーションをサポートするＤＰＳ（図示せず）または処理ユニット１００２によって処理され得るアナログあるいはデジタル信号を生成し得る。
【０１０９】
[00109]処理ユニット１００２は、ネットワークインターフェースユニット１００８の受信機１０１０またはＳＰＳ受信機１０１８において獲得およびダウンコンバートされた信号のベースバンド処理を実行することが可能であり得る専用モデムプロセッサなどを備え得る。同様に、モデムプロセッサなどは、（ワイヤレス）送信機１０１２による送信のためにアップコンバートされるべき信号のベースバンド処理を実行し得る。代替実装形態では、専用モデムプロセッサを有する代わりに、ベースバンド処理が汎用プロセッサまたはＤＳＰ（たとえば、汎用／アプリケーションプロセッサ）によって実行され得る。ただし、これらはベースバンド処理を実行し得る構造の例にすぎず、特許請求される主題がこの観点について限定されないことを理解されたい。さらに、本明細書で提供される例示的な技法は、種々の異なる電子デバイス、モバイルデバイス、送信デバイス、環境、位置決定モードなどに関して適合され得ることを理解されたい。
【０１１０】
[00110]ロングタームエボリューション（ＬＴＥ）は、ＧＳＭ（モバイル通信用グローバルシステム、当初、Ｇｒｏｕｐｅ  Ｓｐｅｃｉａｌ  Ｍｏｂｉｌｅ）および／もしくはＣＤＭＡ（符号分割多元接続）ならびに／またはＷＣＤＭＡ技術をやはり使用することができるワイヤレスネットワーク／システムオペレータによって展開され得るモバイルネットワーク無線技術である。ＬＴＥ測位プロトコル（ＬＰＰ）およびより最近のＬＰＰ拡張（ＬＰＰｅ）標準は、本明細書で説明される例示的な技法のうちの少なくともいくつかをサポートするために、少なくとも一部、使用および／または適合され得る例示的な測位プロトコルを表す。
【０１１１】
[00111]例として、いくつかの実装形態では、たとえば、ＬＰＰ、ＬＰＰｅなどのプロビジョニングプロトコル（a provisioning protocol）は、１つまたは複数のメッセージを介した遠隔デバイスからモバイルデバイスへの情報の交換をサポートすることができ、その情報の少なくともいくつかは、本明細書の例で基準データ報告として示される情報の少なくとも一部分に対応し得る。たとえば、いくつかの事例では、以下のうちの１つまたは複数を示すことが可能な、１つまたは複数のＬＰＰｅＡｔｍｏｓｐｈｅｒｉｃＰｒｅｓｓｕｒｅＡＤメッセージが使用され得る：
（１）基準高度に対応する基準Ｐｒｅｓｓｕｒｅ（a referencePressure）、
（２）圧力ＶａｌｉｄｉｔｙＡｒｅａ（a pressureValidityArea）（たとえば、矩形、円、楕円、または多角形）、
（３）圧力ＶａｌｉｄｉｔｙＰｅｒｉｏｄ（a pressureValidityPeriod）、
（４）基準ＰｒｅｓｓｕｒｅＲａｔｅ（a referencePressureRate）、
（５）ｇＮ圧力（a gN-pressure）（たとえば、北向きの圧力勾配（a northward pressure gradient））および／または、
（６）ｇＥ圧力（a gE-pressure）（たとえば、東向き圧力勾配（an eastward pressure gradient））。
【０１１２】
[00112]ここでは、たとえば、基準Ｐｒｅｓｓｕｒｅは、ＷＧＳ８４基準ジオイドで、または地球重力モデル１９９６（ＥＧＭ９６：Earth Gravitational Model 1996）基準ジオイドで、ゼロレベルの大気圧（ｈＰａ）を指定し得る。圧力ＶａｌｉｄｉｔｙＡｒｅａが提供される場合、基準Ｐｒｅｓｓｕｒｅは、圧力ＶａｌｉｄｉｔｙＡｒｅａの中心を指す場合がある。中心外の圧力ＶａｌｉｄｉｔｙＡｒｅａ内の圧力は、提供される場合、圧力勾配（たとえば、ｇＮ圧力および／またはｇＥ圧力）を使用して計算され得る。北向きまたは東向きの圧力勾配が提供されない場合、圧力は、圧力ＶａｌｉｄｉｔｙＡｒｅａを通して一定であると仮定され得る。基準ＰｒｅｓｓｕｒｅＲａｔｅが提供されない場合、圧力は、圧力ＶａｌｉｄｉｔｙＰｅｒｉｏｄを通して各ロケーションにおいて一定（たとえば、時間的に変化しない）と仮定され得る。そうでない場合、提供される基準ＰｒｅｓｓｕｒｅＲａｔｅは、提供される場合、圧力ＶａｌｉｄｉｔｙＰｅｒｉｏｄの初めに開始して、あるいは基準データ報告の送信時に開始して、圧力ＶａｌｉｄｉｔｙＡｒｅａ内の任意のロケーションにおいて時間ともに圧力の変化の率を提供することができる。例として、いくつかの事例では、基準Ｐｒｅｓｓｕｒｅおよび基準Ｐｒｅｓｓｕｒｅ勾配に関するスケール係数は０．１ｈＰａであってよく、他の提供された値が加算または減算される１０１３ｈＰａの公称圧力（nominal pressure）が使用され得る。圧力ＶａｌｉｄｉｔｙＰｅｒｉｏｄは、たとえば、基準圧力有効期間の開始時間および持続期間を指定することができる。圧力ＶａｌｉｄｉｔｙＰｅｒｉｏｄが存在しない場合、基準データ報告内で提供されるそのような大気圧支援データは、その支援データがモバイルデバイスにおいて受信されたまさにその時間においてだけ有効であり得る。圧力ＶａｌｉｄｉｔｙＡｒｅａは、たとえば、提供される基準大気圧力がその中で有効である領域（たとえば、矩形、円、楕円、または多角形）を指定することができる。そのような情報が存在しない場合、提供される大気基準圧力は、その大気基準圧力が提供される瞬間におけるモバイルデバイスの位置においてだけ有効であり得る。圧力有効領域は、たとえば、それの中心点（中心Ｐｏｉｎｔ（centerPoint））、幅（有効ＡｒｅａＷｉｄｔｈ（validityAreaWidth））、および高さ（有効ＡｒｅａＨｅｉｇｈｔ（validityAreaHeight））によって定義される矩形を指定することができる。ここでは、たとえば、幅は、緯度に沿って中心から測定されてよく、高さは経度に沿って中央から測定されてよい。幅および高さは、たとえば、矩形の全幅および高さとして測定され得る。ここでは、たとえば、スケール係数はＫｍであり得る。ｇＮ圧力は、たとえば、圧力ＶａｌｉｄｉｔｙＡｒｅａの中心から計算された基準大気圧の北向き勾配を指定することができる。ここでは、たとえば、スケール係数は１０Ｐａ／Ｋｍであり得る。そのような情報が提供されない場合、そのような勾配はゼロになると仮定され得る。ｇＥ圧力は、たとえば、圧力ＶａｌｉｄｉｔｙＡｒｅａの中央から計算された基準大気圧の東向き勾配を指定することができる。ここでは、たとえば、スケール係数は１０Ｐａ／Ｋｍであり得る。そのような情報が提供されない場合、そのような勾配はゼロになると仮定され得る。
【０１１３】
[00113]本明細書で説明された技法は、特定の特徴および／または例に従ってアプリケーションに応じて様々な手段によって実装され得る。たとえば、そのような方法は、ソフトウェアとともに、ハードウェアで、ファームウェアで、および／またはそれらの組合せで実装され得る。ハードウェア実装の場合、たとえば、処理ユニットは、１つもしくは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明する機能を実施するように設計された他のデバイスユニット、および／またはそれらの組合せの中で実装され得る。
【０１１４】
[00114]上記の詳細な説明では、特許請求される主題の完全な理解を与えるために多数の具体的な詳細が記載されている。ただし、特許請求される主題は、これらの具体的な詳細なしに実施され得ることが当業者には理解されよう。他の事例では、特許請求される主題を不明瞭にしないように、当業者には既知であろう方法および装置については詳細に説明していない。
【０１１５】
[00115]この特定の明細書の文脈では、特定の装置などの用語は、プログラムソフトウェアからの命令に従って特定の機能を実行するようにプログラムされた後の汎用コンピュータを含む。アルゴリズムの説明または記号表現は、信号処理または関連技術における当業者が、彼らの仕事の本質を他の当業者に伝達するために使用する技法の例である。アルゴリズムは、本明細書では、また一般に、所望の結果をもたらす自己無撞着な（self-consistent）一連のオペレーションまたは同様の信号処理であると考えられる。この文脈では、オペレーションまたは処理は物理量の物理的操作を伴う。必ずしもそうとは限らないが、一般に、電子信号は情報を表すので、そのような量は、記憶、転送、組合せ、比較、あるいは他の操作が可能な、電気信号または磁気信号の形態をとり得る。主に一般的な用法という理由で、そのような信号をビット、データ、値、要素、記号、文字、項、数、数字、情報などと呼ぶことは時々便利であることがわかっている。ただし、これらまたは同様の用語はすべて、適切な物理量に関連すべきものであり、便利なラベルにすぎないことを理解されたい。別段に動きが明記されていない限り、以下の説明から明らかなように、本明細書全体にわたって、「処理する」、「算出する」、「計算する」、「判断する」、「生成する」、「取得する」、「修正する」、「選択する」、「識別する」などの用語を利用する説明は、専用コンピュータまたは同様の専用電子コンピューティングデバイスのような、特定の装置の動作または処理を指すことを理解されたい。したがって、本明細書の文脈では、専用コンピュータあるいは同様の専用電子コンピューティングデバイスは、専用コンピュータまたは同様の専用電子コンピューティングデバイスのメモリ、レジスタ、もしくは他の情報記憶デバイス、送信デバイス、もしくはディスプレイデバイス内の物理電子的または磁気的な物理量として一般に表される信号を操作あるいは変換することが可能である。この特定の特許出願の文脈では、「特定の装置」という用語は、プログラムソフトウェアからの命令に従って特定の機能を実行するようにプログラムされた後の汎用コンピュータを含み得る。
【０１１６】
[00116]明細書で使用する「および」、「または」、および「および／または」という用語は、そのような用語が使用される文脈に少なくとも部分的に依存することも予想される様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。さらに、本明細書で使用する「１つまたは複数」という用語は、単数形の任意の特徴、構造、もしくは特性について説明するために使用され得るか、または複数の特徴、構造、もしくは特性、または特徴、構造、もしくは特性の何らかの他の組合せについて説明するために使用され得る。しかし、これは例示的な例にすぎないこと、および特許請求される主題がこの例に限定されないことに留意されたい。
【０１１７】
[00117]現在例示的な特徴と考えられていることが例示され説明されたが、特許請求される主題から逸脱することなく、他の様々な変更が行われてよく、等価物が置換されてよいことが、当業者には理解されよう。さらに、本明細書で説明された中心概念から逸脱することなく、特許請求される主題の教示に特定の状況を適合させるために多くの変更が行われ得る。
【０１１８】
[00118]したがって、特許請求される主題は、開示された特定の例に限定されず、そのような特許請求される主題は、添付の特許請求の範囲の中に入るすべての態様、およびその等価物も含み得るものとする。
以下に本願発明の当初の特許請求の範囲に記載された発明を付記する。
［Ｃ１］
モバイルデバイスの高度を判断するための方法であって、前記モバイルデバイスにおいて、
前記モバイルデバイスに供給された環境センサーを介して取得された第１の測定値と前記モバイルデバイスのロケーションとを示す環境報告を生成することと、
遠隔デバイスに前記環境報告を送信することと、
異なる時点で、前記遠隔デバイスから基準データ報告を受信することと、
前記環境センサーを使用して、第２の測定値を取得することと、
前記基準データ報告と前記第２の測定値とに少なくとも一部基づいて、前記モバイルデバイスの前記高度および／または前記モバイルデバイスに関する較正パラメータのうちの少なくとも１つを判断することと
を備える方法。
［Ｃ２］
前記環境センサーが気圧計を備える、Ｃ１に記載の方法。
［Ｃ３］
前記第１の測定値および／または前記第２の測定値のうちの少なくとも１つが局所大気圧に少なくとも一部基づく、Ｃ１に記載の方法。
［Ｃ４］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ１に記載の方法。
［Ｃ５］
前記環境報告が、特定の環境に対応するユーザ供給観測に少なくとも一部基づく、Ｃ１に記載の方法。
［Ｃ６］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ１に記載の方法。
［Ｃ７］
前記モバイルデバイスの前記ロケーションが、高度成分および相対高度成分のうちの少なくとも１つを備える、Ｃ１に記載の方法。
［Ｃ８］
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、Ｃ７に記載の方法。
［Ｃ９］
前記モバイルデバイスに関する前記較正パラメータを判断することが、
前記モバイルデバイスに関する測定された高度にさらに少なくとも一部基づいて、前記モバイルデバイスに関する前記較正パラメータを判断することをさらに備える、Ｃ１に記載の方法。
［Ｃ１０］
前記測定された高度が、アシスト型全地球航法衛星システム（Ａ−ＧＮＳＳ）、および／または地形図もしくは等高線図のうちの少なくとも１つを使用して少なくとも一部判断される、Ｃ９に記載の方法。
［Ｃ１１］
前記基準データ報告が前記環境報告に少なくとも一部基づく、Ｃ１に記載の方法。
［Ｃ１２］
モバイルデバイスの高度を判断するための装置であって、
前記モバイルデバイスに供給された環境センサーを介して取得された第１の測定値と前記モバイルデバイスのロケーションとを示す環境報告を生成するための手段と、
遠隔デバイスに前記環境報告を送信するための手段と、
異なる時点で、前記遠隔デバイスから基準データ報告を受信するための手段と、
前記環境センサーを使用して、第２の測定値を取得するための手段と、
前記基準データ報告と前記第２の測定値とに少なくとも一部基づいて、前記モバイルデバイスの前記高度および／または前記モバイルデバイスに関する較正パラメータのうちの少なくとも１つを判断するための手段と
を備える、装置。
［Ｃ１３］
前記環境センサーが気圧計を備える、Ｃ１２に記載の装置。
［Ｃ１４］
前記第１測定値および／または前記第２の測定値のうちの少なくとも１つが局所大気圧に少なくとも一部基づく、Ｃ１２に記載の装置。
［Ｃ１５］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ１２に記載の装置。
［Ｃ１６］
前記環境報告が、特定の環境に対応するユーザ供給観測に少なくとも一部基づく、Ｃ１２に記載の装置。
［Ｃ１７］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ１２に記載の装置。
［Ｃ１８］
前記モバイルデバイスの前記ロケーションが、高度成分および相対高度成分のうちの少なくとも１つを備える、Ｃ１２に記載の装置。
［Ｃ１９］
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、Ｃ１８に記載の装置。
［Ｃ２０］
前記モバイルデバイスに関する前記較正パラメータを判断するための前記手段が、
前記モバイルデバイスに関する測定された高度にさらに少なくとも一部基づいて、前記モバイルデバイスに関する前記較正パラメータを判断するための手段をさらに備える、Ｃ１２に記載の装置。
［Ｃ２１］
前記測定された高度が、アシスト型全地球航法衛星システム（Ａ−ＧＮＳＳ）、および／または地形図もしくは等高線図のうちの少なくとも１つを使用して少なくとも一部判断される、Ｃ２０に記載の装置。
［Ｃ２２］
前記基準データ報告が前記環境報告に少なくとも一部基づく、Ｃ１２に記載の装置。
［Ｃ２３］
モバイルデバイスであって、
環境センサーと、
ネットワークインターフェースユニットと、
前記環境センサーを介して取得された第１の測定値と前記モバイルデバイスのロケーションとを示す環境報告を生成し、
前記ネットワークインターフェースユニットを介した遠隔デバイスに対する前記環境報告の送信を開始し、
異なる時点で、前記ネットワークインターフェースユニットを介して前記遠隔デバイスから基準データ報告を受信し、
前記環境センサーを介して第２の測定値を取得し、
前記基準データ報告と前記第２の測定値とに少なくとも一部基づいて、前記モバイルデバイスの高度および／または前記モバイルデバイスに関する較正パラメータのうちの少なくとも１つを判断する
ための処理ユニットと
を備えるモバイルデバイス。
［Ｃ２４］
前記環境センサーが気圧計を備える、Ｃ２３に記載のモバイルデバイス。
［Ｃ２５］
前記第１の測定値および／または前記第２の測定値のうちの少なくとも１つが局所大気圧に少なくとも一部基づく、Ｃ２３に記載のモバイルデバイス。
［Ｃ２６］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ２３に記載のモバイルデバイス。
［Ｃ２７］
前記環境報告が、特定の環境に対応するユーザ供給観測に少なくとも一部基づく、Ｃ２３に記載のモバイルデバイス。
［Ｃ２８］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ２３に記載のモバイルデバイス。
［Ｃ２９］
前記モバイルデバイスの前記ロケーションが、高度成分および相対高度成分のうちの少なくとも１つを備える、Ｃ２３に記載のモバイルデバイス。
［Ｃ３０］
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、Ｃ２９に記載のモバイルデバイス。
［Ｃ３１］
前記処理ユニットはさらに、
前記モバイルデバイスに関する測定された高度にさらに少なくとも一部基づいて、前記モバイルデバイスに関する前記較正パラメータを判断する、Ｃ２３に記載のモバイルデバイス。
［Ｃ３２］
前記測定された高度が、アシスト型全地球航法衛星システム（Ａ−ＧＮＳＳ）、および／または地形図もしくは等高線図のうちの少なくとも１つを使用して少なくとも一部判断される、Ｃ３１に記載のモバイルデバイス。
［Ｃ３３］
前記基準データ報告が前記環境報告に少なくとも一部基づく、Ｃ２３に記載のモバイルデバイス。
［Ｃ３４］
モバイルデバイスに供給された環境センサーを介して取得された第１の測定値と、前記モバイルデバイスのロケーションとを示す環境報告を生成し、
遠隔デバイスに対する前記環境報告の送信を開始し、
異なる時点で、前記遠隔デバイスから基準データ報告を受信し、
前記環境センサーを使用して、第２の測定値を取得し、
前記基準データ報告と前記第２の測定値とに少なくとも一部基づいて、前記モバイルデバイスの高度および／または前記モバイルデバイスに関する較正パラメータのうちの少なくとも１つを判断する
ための、モバイルデバイスの処理ユニットによって実行可能なコンピュータ実装可能命令を記憶した非一時的コンピュータ可読媒体
を備える物品。
［Ｃ３５］
前記環境センサーが気圧計を備える、Ｃ３４に記載の物品。
［Ｃ３６］
前記第１の測定値および／または前記第２の測定値のうちの少なくとも１つが局所大気圧に少なくとも一部基づく、Ｃ３４に記載の物品。
［Ｃ３７］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ３４に記載の物品。
［Ｃ３８］
前記環境報告が、特定の環境に対応するユーザ供給観測に少なくとも一部基づく、Ｃ３４に記載の物品。
［Ｃ３９］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ３４に記載の物品。
［Ｃ４０］
前記モバイルデバイスの前記ロケーションが、高度成分および相対高度成分のうちの少なくとも１つを備える、Ｃ３４に記載の物品。
［Ｃ４１］
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、Ｃ４０に記載の物品。
［Ｃ４２］
前記モバイルデバイスに関する測定された高度にさらに少なくとも一部基づいて、前記モバイルデバイスに関する前記較正パラメータを判断する
ためのコンピュータ実装可能命令をさらに備える、Ｃ３４に記載の物品。
［Ｃ４３］
前記測定された高度が、アシスト型全地球航法衛星システム（Ａ−ＧＮＳＳ）、および／または地形図もしくは等高線図のうちの少なくとも１つを使用して少なくとも一部判断される、Ｃ４２に記載の物品。
［Ｃ４４］
前記基準データ報告が前記環境報告に少なくとも一部基づく、Ｃ３４に記載の物品。
［Ｃ４５］
電子デバイスにおいて、
モバイルデバイスから環境報告を受信することと、前記環境報告は、前記モバイルデバイスに供給された環境センサーを介して取得された測定値と前記モバイルデバイスのロケーションとを示し、
前記環境報告に少なくとも一部基づいて、基準データ報告を生成することと、前記基準データ報告は、前記モバイルデバイスの前記ロケーションに対応する特定の環境の基準高度に対応する基準大気圧を示し、
前記モバイルデバイスに前記基準データ報告を送信することと
を備える方法。
［Ｃ４６］
前記環境センサーが気圧計を備え、前記測定値が局所大気圧に少なくとも一部基づく、Ｃ４５に記載の方法。
［Ｃ４７］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ４５に記載の方法。
［Ｃ４８］
前記環境報告が、前記特定の環境に対応するユーザ供給観測に少なくとも一部基づく、Ｃ４５に記載の方法。
［Ｃ４９］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）のうちの少なくとも１つを使用して少なくとも一部判断される、Ｃ４５に記載の方法。
［Ｃ５０］
前記基準データ報告が、前記基準大気圧に対応する圧力有効領域、前記基準大気圧に対応する圧力有効期間、前記基準大気圧に対応する基準圧力比、前記基準大気圧に対応する方向性圧力勾配、および／または前記基準大気圧に対応する温度のうちの少なくとも１つをさらに示す、Ｃ４５に記載の方法。
［Ｃ５１］
モバイルデバイスから環境報告を受信するための手段と、前記環境報告は、前記モバイルデバイスに供給された環境センサーを介して取得された測定値と前記モバイルデバイスのロケーションとを示し、
前記環境報告に少なくとも一部基づいて、基準データ報告を生成するための手段と、前記基準データ報告は、前記モバイルデバイスの前記ロケーションに対応する特定の環境の基準高度に対応する基準大気圧を示し、
前記モバイルデバイスに前記基準データ報告を送信するための手段と
を備える装置。
［Ｃ５２］
前記環境センサーが気圧計を備え、前記測定値が局所大気圧に少なくとも一部基づく、Ｃ５１に記載の装置。
［Ｃ５３］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ５１に記載の装置。
［Ｃ５４］
前記環境報告が、前記特定の環境に対応するユーザ供給観測に少なくとも一部基づく、Ｃ５１に記載の装置。
［Ｃ５５］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ５１に記載の装置。
［Ｃ５６］
前記基準データ報告が、前記基準大気圧に対応する圧力有効領域、前記基準大気圧に対応する圧力有効期間、前記基準大気圧に対応する基準圧力比、前記基準大気圧に対応する方向性圧力勾配、および／または前記基準大気圧に対応する温度のうちの少なくとも１つをさらに示す、Ｃ５１に記載の装置。
［Ｃ５７］
ネットワークインターフェースユニットと、
前記ネットワークインターフェースユニットを介してモバイルデバイスから環境報告を受信することと、前記環境報告は、前記モバイルデバイスに供給された環境センサーを介して取得された測定値と前記モバイルデバイスのロケーションとを示し、
前記環境報告に少なくとも一部基づいて、基準データ報告を生成することと、前記基準データ報告は、前記モバイルデバイスの前記ロケーションに対応する特定の環境の基準高度に対応する基準大気圧を示し、
前記ネットワークインターフェースユニットを介した前記モバイルデバイスに対する前記基準データ報告の送信を開始することと
を行うための処理ユニットと
を備えるデバイス。
［Ｃ５８］
前記環境センサーが気圧計を備え、前記測定値が局所大気圧に少なくとも一部基づく、Ｃ５７に記載のデバイス。
［Ｃ５９］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ５７に記載のデバイス。
［Ｃ６０］
前記環境報告が、前記特定の環境に対応するユーザ供給観測に少なくとも一部基づく、Ｃ５７に記載のデバイス。
［Ｃ６１］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ５７に記載のデバイス。
［Ｃ６２］
前記基準データ報告が、前記基準大気圧に対応する圧力有効領域、前記基準大気圧に対応する圧力有効期間、前記基準大気圧に対応する基準圧力比、前記基準大気圧に対応する方向性圧力勾配、および／または前記基準大気圧に対応する温度のうちの少なくとも１つをさらに示す、Ｃ５７に記載のデバイス。
［Ｃ６３］
モバイルデバイスから環境報告を受信することと、前記環境報告は、前記モバイルデバイスに供給された環境センサーを介して取得された測定値と前記モバイルデバイスのロケーションとを示し、
前記環境報告に少なくとも一部基づいて、基準データ報告を生成することと、前記基準データ報告は、前記モバイルデバイスの前記ロケーションに対応する特定の環境の基準高度に対応する基準大気圧を示し、
前記モバイルデバイスに対する前記基準データ報告の送信を開始することと
を行うための、電気デバイスの処理ユニットによって実行可能なコンピュータ実装可能命令を記憶した非一時的コンピュータ可読媒体
を備える物品。
［Ｃ６４］
前記環境センサーが気圧計を備え、前記測定値が局所大気圧に少なくとも一部基づく、Ｃ６３に記載の物品。
［Ｃ６５］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ６３に記載の物品。
［Ｃ６６］
前記環境報告が、前記特定の環境に対応するユーザ供給観測に少なくとも一部基づく、Ｃ６３に記載の物品。
［Ｃ６７］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ６３に記載の物品。
［Ｃ６８］
前記基準データ報告が、前記基準大気圧に対応する圧力有効領域、前記基準大気圧に対応する圧力有効期間、前記基準大気圧に対応する基準圧力比、前記基準大気圧に対応する方向性圧力勾配、および／または前記基準大気圧に対応する温度のうちの少なくとも１つをさらに示す、Ｃ６３に記載の物品。
【図１】
0006271570.tif 000002
【図２】
0006271570.tif 000003
【図３】
0006271570.tif 000004
【図４】
0006271570.tif 000005
【図５】
0006271570.tif 000006
【図６】
0006271570.tif 000007
【図７】
0006271570.tif 000008
【図８】
0006271570.tif 000009
【図９】
0006271570.tif 000010
【図１０】
0006271570.tif 000011